(57)【特許請求の範囲】
【請求項１】
遊技制御手段に制御されることによって特別図柄を変動表示する図柄表示装置と、演出制御手段に制御されることによって遊技演出を行う演出装置とを備え、
前記図柄表示装置に変動表示される特別図柄が当り図柄で停止表示されると当り遊技が行われるとともに、
前記当り図柄として低確率当り図柄が前記図柄表示装置に停止表示されて当り遊技が行われた場合には、該当り遊技後の遊技状態が、前記図柄表示装置に前記当り図柄が停止表示される確率の低い低確率状態に設定され、前記当り図柄として高確率当り図柄が前記図柄表示装置に停止表示されて前記当り遊技が行われた場合には、該当り遊技後の遊技状態が、前記図柄表示装置に前記当り図柄が停止表示される確率が前記低確率状態より高い高確率状態に設定され、
前記当り遊技の開始前に前記演出装置に表示される前記遊技演出に基づき、前記当り遊技後の遊技状態が前記高確率状態となるか否かを判別不能とした弾球遊技機であって、
前記遊技制御手段は、
前記図柄表示装置に停止表示される前記当り図柄の種類を複数記憶する当り図柄記憶手段と、
前記当り遊技終了後の遊技状態が前記高確率状態であるか否かを報知する報知演出の実行態様を、前記当り図柄記憶手段に記憶される前記当り図柄の種類と関連付けて互いに異なる態様として複数記憶する実行態様記憶手段と、
前記図柄表示装置に前記当り図柄を停止表示するに際して、該当り図柄の種類を、前記当り図柄記憶手段に記憶される当り図柄の中から選択する当り図柄選択手段と、
前記当り図柄選択手段によって選択された前記当り図柄に対応する前記報知演出の実行態様を設定する実行態様設定手段と、
前記当り遊技の実行中に、前記実行態様設定手段により設定された前記実行態様に応じた前記報知演出の実行時期が到来すると、前記報知演出の実行を指示する報知演出指示コマンドを送信するコマンド送信手段と
を備え、
前記演出制御手段は、
前記コマンド送信手段により送信される前記報知演出指示コマンドを受信するコマンド受信手段と、
前記コマンド受信手段が前記報知演出指示コマンドを受信すると、前記演出装置を用いて前記報知演出を実行する報知演出実行手段と
を備えることを特徴とする弾球遊技機。
【請求項２】
請求項１に記載の弾球遊技機において、
前記実行態様記憶手段は、前記報知演出の実行時期および実行回数の一方或いは両方の異なる複数の実行態様を記憶する
ことを特徴とする弾球遊技機。
【請求項３】
請求項２に記載の弾球遊技機において、
前記実行態様記憶手段は、前記報知演出の実行回数が複数回に設定される実行態様として、最終回以外の前記実行時期に、遊技状態が前記高確率状態であるか否かが不確定であることを報知する不確定報知演出を実行するとともに、最終回の前記実行時期に、前記不確定報知演出あるいは遊技状態が前記高確率状態であることが確定したことを報知する確定報知演出を実行する実行態様を記憶し、
前記報知演出実行手段は、前記不確定報知演出の実行を指示する前記報知演出指示コマンドを受信すると前記不確定報知演出を実行し、前記確定報知演出の実行を指示する前記報知演出指示コマンドを受信すると前記確定報知演出を実行する
ことを特徴とする弾球遊技機。
【発明の詳細な説明】
【技術分野】
【０００１】
本発明は、遊技領域が形成された遊技盤に遊技球を発射することによって遊技を行うパチンコ機等の弾球遊技機に関する。
【背景技術】
【０００２】
遊技盤に設けられた始動口に遊技球が入球することを契機として特別図柄が変動表示して、該特別図柄が当り態様で停止表示されることで、遊技者に有利な当り遊技を実行する弾球遊技機が知られている。このような弾球遊技機では、当り遊技終了後の遊技状態を、特別図柄が当り態様で停止表示される確率の高い高確率状態あるいは該確率が高確率状態より低い低確率状態の何れかに設定するのが一般的である。
【０００３】
この種の弾球遊技機の中には、当り遊技終了後に、遊技状態が高確率状態あるいは低確率状態の何れであるか判別不能の演出を行って、その後に、遊技状態が高確率状態であるか否かを報知する報知演出を行う弾球遊技機が存在する。こうした弾球遊技機における報知演出の実行態様は、専用の乱数を用いた抽選によって決定される（特許文献１、特許文献２）。
【先行技術文献】
【特許文献】
【０００４】
【特許文献１】特開２００６−１１００７９号公報
【特許文献２】特開２００７−６８７０４号公報
【発明の概要】
【発明が解決しようとする課題】
【０００５】
上述の弾球遊技機では、報知演出の実行態様を決定するための乱数発生装置や抽選処理を設ける必要があり、弾球遊技機を構成する部材点数の増大化や、処理の複雑化を招いてしまうという問題がある。
【０００６】
本発明は、従来技術における上述した課題を解決するためになされたものであり、報知演出の実行態様を決定するための乱数発生装置や抽選処理を設けなくても、報知演出を多彩にすることができる弾球遊技機を提供することを目的とする。
【課題を解決するための手段】
【０００７】
上述した課題の少なくとも一部を解決するために、本発明の弾球遊技機は次の構成を採用した。すなわち、
遊技制御手段に制御されることによって特別図柄を変動表示する図柄表示装置と、演出制御手段に制御されることによって遊技演出を行う演出装置とを備え、
前記図柄表示装置に変動表示される特別図柄が当り図柄で停止表示されると当り遊技が行われるとともに、
前記当り図柄として低確率当り図柄が前記図柄表示装置に停止表示されて当り遊技が行われた場合には、該当り遊技後の遊技状態が、前記図柄表示装置に前記当り図柄が停止表示される確率の低い低確率状態に設定され、前記当り図柄として高確率当り図柄が前記図柄表示装置に停止表示されて前記当り遊技が行われた場合には、該当り遊技後の遊技状態が、前記図柄表示装置に前記当り図柄が停止表示される確率が前記低確率状態より高い高確率状態に設定され、
前記当り遊技の開始前に前記演出装置に表示される前記遊技演出に基づき、前記当り遊技後の遊技状態が前記高確率状態となるか否かを判別不能とした弾球遊技機であって、
前記遊技制御手段は、
前記図柄表示装置に停止表示される前記当り図柄の種類を複数記憶する当り図柄記憶手段と、
前記当り遊技終了後の遊技状態が前記高確率状態であるか否かを報知する報知演出の実行態様を、前記当り図柄記憶手段に記憶される前記当り図柄の種類と関連付けて互いに異なる態様として複数記憶する実行態様記憶手段と、
前記図柄表示装置に前記当り図柄を停止表示するに際して、該当り図柄の種類を、前記当り図柄記憶手段に記憶される当り図柄の中から選択する当り図柄選択手段と、
前記当り図柄選択手段によって選択された前記当り図柄に対応する前記報知演出の実行態様を設定する実行態様設定手段と、
前記当り遊技の実行中に、前記実行態様設定手段により設定された前記実行態様に応じた前記報知演出の実行時期が到来すると、前記報知演出の実行を指示する報知演出指示コマンドを送信するコマンド送信手段と
を備え、
前記演出制御手段は、
前記コマンド送信手段により送信される前記報知演出指示コマンドを受信するコマンド受信手段と、
前記コマンド受信手段が前記報知演出指示コマンドを受信すると、前記演出装置を用いて前記報知演出を実行する報知演出実行手段と
を備えることを特徴とする。
【０００８】
このような弾球遊技機では、図柄表示装置に当り図柄が停止表示されて当り遊技が行われると、該当り遊技の実行中に、該当り図柄に対応する実行態様で報知演出が実行される。すなわち、報知演出の実行態様を抽選で決定しなくても、図柄表示装置に停止表示された当り図柄に応じて自ずと報知演出の実行態様が決定される。これにより、報知演出の実行態様を抽選で決定するための乱数発生装置や処理を設けなくても、報知演出を様々に設定でき、報知演出を多彩にすることが可能となる。
【０００９】
また、上述した弾球遊技機は、
前記実行態様記憶手段は、前記報知演出の実行時期および実行回数の一方或いは両方の異なる複数の実行態様を記憶する
こととしてもよい。
【００１０】
このような弾球遊技機によれば、報知演出の実行時期や実行回数を抽選で決定するための乱数発生装置や処理を設けなくても、報知演出の実行時期や実行回数を多様にでき、報知演出を多彩にすることが可能となる。
【００１１】
また、上述した弾球遊技機は、
前記実行態様記憶手段は、前記報知演出の実行回数が複数回に設定される実行態様として、最終回以外の前記実行時期に、遊技状態が前記高確率状態であるか否かが不確定であることを報知する不確定報知演出を実行するとともに、最終回の前記実行時期に、前記不確定報知演出あるいは遊技状態が前記高確率状態であることが確定したことを報知する確定報知演出を実行する実行態様を記憶し、
前記報知演出実行手段は、前記不確定報知演出の実行を指示する前記報知演出指示コマンドを受信すると前記不確定報知演出を実行し、前記確定報知演出の実行を指示する前記報知演出指示コマンドを受信すると前記確定報知演出を実行する
こととしてもよい。
【００１２】
このような弾球遊技機によれば、報知演出の実行時期や実行回数を抽選で決定するための乱数発生装置や処理を設けなくても、不確定報知演出や確定報知演出の実行時期や実行回数を実行態様に応じて多様にでき、報知演出を多彩にすることが可能となる。
【発明の効果】
【００１３】
本発明によれば、報知演出の実行態様を決定するための乱数発生装置や抽選処理を設けなくても、報知演出を多彩にすることができる。
【図面の簡単な説明】
【００１４】
【図１】本実施例の遊技機（パチンコ機１）の正面図である。
【図２】本実施例の遊技盤の盤面構成を示す説明図である。
【図３】本実施例の第１図柄表示装置および第２図柄表示装置の構成を示す説明図である。
【図４】本実施例の演出表示装置の画面構成を示す説明図である。
【図５】本実施例の始動口ユニットの構成を示す説明図である。
【図６】本実施例の遊技機における制御回路の構成を示したブロック図である。
【図７】本実施例の普通図柄表示部の表示態様を示した説明図である。
【図８】本実施例の第１特別図柄あるいは第２特別図柄が変動表示する特別図柄を示した説明図である。
【図９】本実施例の演出表示装置で行われる演出の一態様を例示した説明図である。
【図１０】本実施例の遊技制御処理を示すフローチャートである。
【図１１】本実施例の特図保留関連処理を示すフローチャートである。
【図１２】本実施例の特別図柄遊技処理を示したフローチャートである。
【図１３】本実施例の特別図柄遊技処理を示したフローチャートである。
【図１４】本実施例の特図変動表示処理を示したフローチャートである。
【図１５】本実施例の特図変動表示処理を示したフローチャートである。
【図１６】本実施例の大当り判定テーブルを例示した説明図である。
【図１７】本実施例の低確率非開放延長用外れ変動パターンテーブルを概念的に示す説明図である。
【図１８】本実施例の大当り図柄決定テーブルを概念的に示した説明図である。
【図１９】本実施例の大当り遊技処理を示すフローチャートである。
【図２０】本実施例のパチンコ機で実行される大当り遊技を示す説明図である。
【図２１】本実施例の大当り終了時処理を示すフローチャートである。
【図２２】本実施例のラウンド演出指定処理を示すフローチャートである。
【図２３】本実施例の昇格チャンス演出タイミングテーブルを概念的に示す説明図である。
【図２４】サブ制御基板２２０のＣＰＵ２２１によって実行される演出制御処理を示すフローチャートである。
【図２５】本実施例の大当り遊技演出処理を示すフローチャートである。
【発明を実施するための形態】
【００１５】
上述した本発明の内容を明確にするために、本発明を「セブン機」や「デジパチ」と呼ばれるタイプのパチンコ機に適用した実施例について説明する。
【００１６】
Ａ．パチンコ機の装置構成  ：
Ａ−１．装置前面側の構成  ：
図１は、本実施例のパチンコ機１の正面図である。図１に示すように、パチンコ機１の前面部は、大きくは、前面枠４、上皿部５、下皿部６、遊技盤１０などから構成されている。なお、図１では遊技盤１０の詳細な図示を省略している。前面枠４は、図示しない中枠３に取り付けられており、中枠３は図示しない本体枠２に取り付けられている。中枠３はプラスチック材料で成形されており、本体枠２の内側に取り付けられている。本体枠２は、木製の板状部材を組み立てて構成された略長方形の枠体であり、パチンコ機１の外枠を形成している。前面枠４の一端は中枠３に対して回動可能に軸支されており、中枠３の一端は本体枠２に対して回動可能に軸支されている。遊技盤１０は中枠３の前面側に着脱可能に取り付けられており、その前面側が前面枠４で覆われている。
【００１７】
前面枠４は、プラスチック材料で成形されており、略中央部には円形状の窓部４ａが形成されている。この窓部４ａにはガラス板等の透明板が嵌め込まれており、奥側に配置される遊技盤１０の盤面が視認可能となっている。また、前面枠４には、遊技効果を高めるための各種ランプ類４ｂ〜４ｆが設けられている。前面枠４の下方には上皿部５が設けられており、上皿部５の下方には下皿部６が設けられている。また、前面枠４の右側には施錠装置９が設けられており、前面枠４の左側にはプリペイドカード式の球貸装置１３（ＣＲユニット）が設けられている。
【００１８】
上皿部５には、皿状の凹部と、凹部を取り巻くように形成された皿外縁部５ａとが設けられている。遊技球は、上皿部５に形成された凹部に投入されて、発射装置ユニット１２（図６参照）に供給される。また、皿外縁部５ａには、遊技球の球貸スイッチ５ｂ、返却スイッチ５ｃ、投入した遊技球を排出するための排出ボタンなど、各種のボタン類が設けられている。上皿部５の左部には第１スピーカー５ｙが設けられている。また、上皿５の前面側には、演出ボタンＢＴが設けられている。遊技者は、演出ボタンＢＴを押すことによって、遊技演出に関連する項目を選択するなど、遊技演出の進行に介入することが可能となっている。
【００１９】
下皿部６には、パチンコ機１の内部から遊技球を排出するための排出口６ａが設けられており、排出された遊技球は下皿部６内に貯留される。下皿部６の右端には発射ハンドル８が設けられている。発射ハンドル８には、遊技者がハンドルに触れていることを検出するタッチスイッチ８ａが設けられている。発射ハンドル８の回転軸は、下皿部６の奥側に搭載された図示しない発射装置ユニット１２に接続されており、遊技者が発射ハンドル８を回転させると、その動きが発射装置ユニット１２に伝達され、ユニットに内蔵された図示しない発射モータが回転して、回転角度に応じた強さで遊技球が発射される。発射ハンドル８の左側面には、遊技者が操作して遊技球の発射を一時的に停止する発射停止スイッチ８ｂが配置されている。
【００２０】
Ａ−２．遊技盤の構成  ：
図２は、遊技盤１０の盤面構成を示す説明図である。前述したように、遊技盤１０は中枠３の前面側に着脱可能に取り付けられている。図２に示すように、遊技盤１０の中央には、外レール１４と内レール１５とによって囲まれた略円形状の遊技領域１１が形成されている。上述した発射装置ユニット１２から発射された遊技球は、外レール１４と内レール１５との間を通って遊技領域１１に放出され、遊技領域１１の上方から下方に向かって流下する。
【００２１】
遊技領域１１の略中央には中央装置２６が設けられ、遊技領域１１の下方部分には変動入賞装置１８が設けられ、中央装置２６と変動入賞装置１８との間には始動口ユニット１７が設けられている。後述するように始動口ユニット１７は、２つの始動口が上下に組み合わせて構成されており、上側に設けられた第１始動口１７ａは、遊技球の入球を許容する遊技球受入口の大きさが不変（一定）で、遊技球が常時入球可能となっている固定式の入球口であり、下側に設けられた第２始動口１７ｂは、左右に一対の翼片部が開閉可能に構成されたいわゆるチューリップ式の入球口となっている。始動口ユニット１７の詳細な構成については、別図を用いて後述する。
【００２２】
中央装置２６のほぼ中央には、演出表示装置２７が設けられている。演出表示装置２７は液晶表示器によって構成されており、その表示画面上では、識別図柄や背景画像などの種々の演出図柄を変動表示した後に停止表示することが可能となっている。演出表示装置２７の表示画面上で表示される各種の演出図柄については後述する。
【００２３】
演出表示装置２７の左斜め下方には第１図柄表示装置２８が設けられ、演出表示装置２７の右斜め下方には第２図柄表示装置３２が設けられている。このうち、演出表示装置２７の左下方に設けられた第１図柄表示装置２８では、普通図柄や第１特別図柄を変動停止表示することが可能となっており、演出表示装置２７の右下方に設けられた第２図柄表示装置３２では、第２特別図柄を変動表示することが可能となっている。第１図柄表示装置２８や、第２図柄表示装置３２の詳細な構成については後述する。尚、以下では、第１特別図柄を単に「第１特図」と略記し、第２特別図柄を単に「第２特図」と略記することがあるものとする。
【００２４】
遊技領域１１の左側および右側には、普通図柄作動左ゲート３６と普通図柄作動右ゲート３７とが設けられており、これらのゲートの内部には、遊技球の通過を検出するゲートスイッチ３６ｓ，３７ｓがそれぞれ設けられている。更に、左右の普通図柄作動ゲート３６，３７と中央装置２６との間には、ランプ風車２４，２５が設けられている。これら各遊技装置の間および周辺には、多数の障害釘２３が設けられている。
【００２５】
中央装置２６の下方に設けられた変動入賞装置１８には、ほぼ中央に大入賞装置３１が設けられている。この大入賞装置３１は、略長方形状に大きく開放する大入賞口３１ｄや、大入賞口３１ｄを開閉させる開閉部材３１ｅ、開閉部材３１ｅを動作させる大入賞口ソレノイド３１ｍ（図６参照）などから構成されている。後述する所定の条件が成立すると、大入賞装置３１が作動を開始して大入賞口ソレノイド３１ｍにより開閉部材３１ｅが開動作され、大入賞口３１ｄが開放状態となる。この結果、遊技球が高い確率で大入賞口３１ｄに入球することとなって、遊技者にとって有利な大当り遊技（特別遊技）が開始される。また、大入賞口３１ｄの内部には大入賞口スイッチ３１ｓが設けられており、大入賞口３１ｄに入賞した遊技球を検出することが可能である。遊技盤１０の下方にはアウト口４８が設けられ、そのアウト口４８の下部にはバック球防止部材５８が設けられている。バック球防止部材５８は、遊技領域１１に到達せず戻ってきた遊技球が再び発射位置に戻ることを防止する機能を有している。
【００２６】
図３は、本実施例のパチンコ機１に搭載された第１図柄表示装置２８および第２図柄表示装置３２の構成を示す説明図である。図３（ａ）は第１図柄表示装置２８を表しており、図３（ｂ）は第２図柄表示装置３２を表している。初めに第１図柄表示装置２８の構成について説明する。図３（ａ）示されているように、本実施例の第１図柄表示装置２８は、略矩形の領域内に１２個の小さな発光ダイオード（ＬＥＤ）が組み込まれて構成されている。これら１２個のＬＥＤのうちの、３個のＬＥＤは普通図柄表示部２９を構成しており、残りの９個のＬＥＤは第１特別図柄表示部３０を構成している。更に、普通図柄表示部２９は、普通図柄を表示するための１個のＬＥＤ（以下、普通図柄ＬＥＤ２９ａと呼ぶ）と、普通図柄の保留数を表示するための２個のＬＥＤ（以下、普図保留表示ＬＥＤ２９ｂと呼ぶ）とから構成されている。また、第１特別図柄表示部３０は、第１特別図柄を表示するための７個のＬＥＤ（以下、第１特別図柄ＬＥＤ３０ａと呼ぶ）と、第１特別図柄の保留数を表示するための２個のＬＥＤ（以下、第１特図保留表示ＬＥＤ３０ｂと呼ぶ）とから構成されている。尚、以下では、第１特別図柄（第１特図）の保留を「第１特図保留」と呼び、第１特図の保留数を「第１特図保留数」と呼ぶことがあるものとする。尚、第１図柄表示装置２８および第２図柄表示装置３２は、本発明における「図柄表示装置」に対応している。
【００２７】
図３（ｂ）に示した第２図柄表示装置３２は、上述した第１図柄表示装置２８に対して普通図柄表示部２９を取り除いた構成となっている。すなわち、第２図柄表示装置３２には、９個のＬＥＤから構成される第２特別図柄表示部３３が設けられており、そのほぼ中央に設けられた７個のＬＥＤは、第２特別図柄を表示するためのＬＥＤ（以下、第２特別図柄ＬＥＤ３３ａと呼ぶ）であり、残りの２個のＬＥＤは、第２特別図柄の保留数を表示するためのＬＥＤ（以下、第２特図保留表示ＬＥＤ３３ｂと呼ぶ）となっている。尚、以下では、第２特別図柄（第２特図）の保留を「第２特図保留」と呼び、第２特図の保留数を「第２特図保留数」と呼ぶことがあるものとする。
【００２８】
図４は、本実施例のパチンコ機１に搭載された演出表示装置２７の画面構成を示す説明図である。前述したように、演出表示装置２７は液晶表示器を用いて構成されており、その表示画面上には、３つの識別図柄２７ａ，２７ｂ，２７ｃと、その背景の背景画像２７ｄが表示されている。３つの識別図柄２７ａ，２７ｂ，２７ｃは、第１特別図柄表示部３０および第２特別図柄表示部３３における特別図柄の変動表示の開始タイミングと同期して変動表示を開始し、その後、特別図柄の変動時間が経過するまで種々の態様で変動表示を行う。そして、特別図柄の変動表示の終了タイミング（特別図柄の停止表示）と同期して３つの識別図柄２７ａ，２７ｂ，２７ｃの変動表示が終了する。この３つの識別図柄２７ａ，２７ｂ，２７ｃの変動表示および停止表示によって図柄変動演出が実現される。尚、演出表示装置２７は、本発明における「演出装置」に対応している。
【００２９】
図５は、本実施例のパチンコ機１に搭載された始動口ユニット１７の構成を示す説明図である。前述したように始動口ユニット１７には、第１始動口１７ａと、第２始動口１７ｂとが設けられている。上側に設けられた第１始動口１７ａは、遊技球受入口の大きさが一定の固定式（ポケット式）の入球口（固定始動口）として構成され、下側に設けられた第２始動口１７ｂは、一対の翼片１７ｗを備えた開閉式（チューリップ式）の入球口（可変始動口）として構成されている。一対の翼片１７ｗは、ほぼ直立した閉鎖状態（図５（ａ）参照）と、外側に向かって回転した開放状態（図５（ｂ）参照）との２つの状態を取ることが可能である。図５（ａ）に示すように、一対の翼片１７ｗがほぼ直立した第２始動口１７ｂの閉鎖状態は、遊技球は第２始動口１７ｂに入球することができず、専ら第１始動口１７ａに入球する状態である。これに対して、図５（ｂ）に示すように、一対の翼片１７ｗが外側に開いた第２始動口１７ｂの開放状態は、第２始動口１７ｂにも遊技球が入球し得る状態である。尚、本実施例の始動口ユニット１７では、第２始動口１７ｂが開放状態となると、第１始動口１７ａよりも第２始動口１７ｂの方が、遊技球が入球し易くなる。
【００３０】
第１始動口１７ａあるいは第２始動口１７ｂに入球した遊技球は、それぞれの内部に設けられた通路を通って遊技盤１０の裏面側に導かれる。第１始動口１７ａの内部の通路の途中には第１始動口スイッチ１７ｓが設けられ、第２始動口１７ｂの内部の通路の途中には第２始動口スイッチ１７ｔが設けられており、第１始動口１７ａあるいは第２始動口１７ｂに入球した遊技球はそれぞれ第１始動口スイッチ１７ｓあるいは第２始動口スイッチ１７ｔによって検出されるようになっている。
【００３１】
Ａ−３．制御回路の構成  ：
次に、本実施例のパチンコ機１における制御回路の構成について説明する。図６は、本実施例のパチンコ機１における制御回路の構成を示したブロック図である。図示されているようにパチンコ機１の制御回路は、多くの制御基板や、各種基板、中継端子板などから構成されているが、その機能に着目すると、遊技の基本的な進行や賞球に関わる当否についての制御を司る主制御基板２００と、演出図柄やランプや効果音を用いた遊技の演出の制御を司るサブ制御基板２２０と、サブ制御基板２２０の制御の下で演出表示装置２７の具体的な制御を行う演出制御基板２３０と、貸球や賞球を払い出す動作の制御を司る払出制御基板２４０と、遊技球の発射に関する制御を司る発射制御基板２６０などから構成されている。これら制御基板は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭなど、種々の周辺ＬＳＩがバスで相互に接続されて構成されている。尚、図６中に示した矢印の向きは、データあるいは信号を入出力する方向を表している。また、図６では、主制御基板２００に搭載されたＣＰＵ２０１やＲＯＭ２０２、ＲＡＭ２０３、サブ制御基板２２０に搭載されたＣＰＵ２２１、ＲＯＭ２２２、ＲＡＭ２２３のみが図示されている。
【００３２】
主制御基板２００は、第１始動口スイッチ１７ｓや、第２始動口スイッチ１７ｔ、大入賞口スイッチ３１ｓ、ゲートスイッチ３６ｓ，３７ｓなどから遊技球の検出信号の入力があると、その検出信号の入力のあったスイッチに応じて定められる各種動作を指令するコマンドを、サブ制御基板２２０や、払出制御基板２４０、発射制御基板２６０などに向かって送信する。また、主制御基板２００には、始動口ユニット１７の第２始動口１７ｂに設けられた一対の翼片部１７ｗを開閉させるための始動口ソレノイド１７ｍや、大入賞口３１ｄを開閉させるための大入賞口ソレノイド３１ｍ、更には、第１図柄表示装置２８や第２図柄表示装置３２などが中継端子板（図示略）を介して接続されており、これら各種ソレノイド１７ｍ，３１ｍ、第１図柄表示装置２８、第２図柄表示装置３２に向かって駆動信号を送信することにより、これらの動作の制御も行う。
【００３３】
サブ制御基板２２０は、主制御基板２００からの各種コマンドを受信すると、コマンドの内容を解析して、その結果に応じた遊技の演出を行う。すなわち、前述した演出表示装置２７の表示制御を行う演出制御基板２３０に対して表示内容を指定するコマンドを送信したり、各種のスピーカー５ｙを駆動するアンプ基板２２４、装飾用の各種ＬＥＤやランプを駆動する装飾駆動基板２２６に駆動信号を送信したりすることにより、遊技の演出を行う。また、サブ制御基板２２０は、演出ボタン基板２２８を介して演出ボタンＢＴに対する遊技者の操作を検出すると、該操作を反映させた遊技の演出を行う。
【００３４】
演出制御基板２３０は、ＣＰＵ２３１、ＲＯＭ２３２、ＲＡＭ２３３に加えて、画像ＲＯＭ２３４やＶＤＰ（図示略）を備えている。演出制御基板２３０のＣＰＵ２３１は、サブ制御基板２２０からの制御コマンド（表示制御コマンド）を受信すると、その受信したコマンドに対応する制御プログラムをＲＯＭ２３２から読み出して、ＲＡＭ２３３をワークエリアとして用いながら、演出画像を演出表示装置２７の表示画面に表示するための制御を行う。画像ＲＯＭ２３４には、図柄変動演出や大当り遊技演出など種々の遊技演出に対応する演出画像のデータ（例えば、所定のキャラクタに対応する画像を表示するためのスプライトデータや動画データなど）が格納されている。
【００３５】
払出制御基板２４０は、いわゆる貸球や賞球の払い出しに関する各種の制御を司っている。例えば、遊技者が前述した上皿部５に設けられた球貸スイッチ５ｂや返却スイッチ５ｃを操作すると、この信号は、球貸表示基板２４２から中継端子板（図示略）を介して、球貸装置１３に伝達される。球貸装置１３は、払出制御基板２４０とデータを通信しながら、貸球の払い出しを行う。また、主制御基板２００が賞球の払出コマンドを送信すると、このコマンドを払出制御基板２４０が受信して、払出モータ１０９ｍに駆動信号を出力することによって賞球の払い出しが行われる。
【００３６】
Ｂ．遊技の概要  ：
本実施例のパチンコ機１では、次のようにして遊技が行われる。先ず、遊技者が上皿部５の凹部に遊技球を投入して発射ハンドル８を回転させると、上皿部５に投入された遊技球が、１球ずつ発射装置ユニット１２に供給されて、図２を用いて前述した遊技領域１１に発射される。遊技球を打ち出す強さは、発射ハンドル８の回転角度によって調整することが可能となっており、遊技者は発射ハンドル８の回転角度を変化させることによって、遊技球の狙いを付けることができる。
【００３７】
発射した遊技球が、遊技領域１１の左右に設けられた普通図柄作動左ゲート３６、普通図柄作動右ゲート３７の何れかを通過すると、演出表示装置２７の左下方に設けられた第１図柄表示装置２８において普通図柄の変動表示が開始される。図４を用いて前述したように、第１図柄表示装置２８には普通図柄表示部２９が設けられており、普通図柄表示部２９には、普通図柄ＬＥＤ２９ａおよび普図保留表示ＬＥＤ２９ｂが搭載されている。このうち、普通図柄ＬＥＤ２９ａを用いて普通図柄の変動表示を行う。
【００３８】
図７（ａ）は、普通図柄が変動表示する様子を概念的に示した説明図である。本実施例のパチンコ機１では、普通図柄ＬＥＤ２９ａの点滅を繰り返すことによって、普通図柄の変動表示を行う。図７では、普通図柄ＬＥＤ２９ａが点灯している状態を放射状の実線で表し、消灯している状態を破線で表している。そして、予め定められた時間だけ点滅を繰り返した後、普通図柄ＬＥＤ２９ａが点灯状態で停止した場合には、普通図柄の当りとなって、第２始動口１７ｂ（始動口ユニット１７の下側の始動口）が所定の開放時間だけ開放状態となる。逆に、消灯状態で停止した場合には普通図柄の外れとなって、第２始動口１７ｂが開放することはない。また、普通図柄の変動表示中に遊技球が普通図柄作動左ゲート３６または普通図柄作動右ゲート３７を通過した場合は、この遊技球の通過が普通図柄の保留（普図保留）としてＲＡＭ２０３の記憶領域（普図保留記憶領域）に記憶され、現在の普通図柄の変動表示が終了した後に、その普図保留に基づき変動表示が行われる。普図保留は最大４個まで記憶可能となっており、記憶されている普通図柄の保留数（普図保留数）は、普図保留表示ＬＥＤ２９ｂによって表示される。
【００３９】
図７（ｂ）は、第１図柄表示装置２８に設けられた普図保留表示ＬＥＤ２９ｂによって普図保留数が表示される様子を示した説明図である。普図保留が無い場合（すなわち、普図保留が０個の場合）は、２個の普図保留表示ＬＥＤ２９ｂは何れも消灯している。普図保留が１個の場合は、向かって左側の普図保留表示ＬＥＤ２９ｂは消灯したままで、右側の普図保留表示ＬＥＤ２９ｂが点灯する。普図保留が２個になると、右側の普図保留表示ＬＥＤ２９ｂに加えて左側の普図保留表示ＬＥＤ２９ｂが点灯する。次いで、普図保留が３個になると、右側の普図保留表示ＬＥＤ２９ｂが点滅し、左側の普図保留表示ＬＥＤ２９ｂが点灯する。更に普図保留が増加して上限値である４個になると、左右の普図保留表示ＬＥＤ２９ｂが点滅した状態となる。このように普通図柄表示部２９では、２個の普図保留表示ＬＥＤ２９ｂを点灯、消灯、あるいは点滅させることによって、０個から４個までの普図保留数を表示することができる。
【００４０】
また、図３（ａ）を用いて前述したように、第１図柄表示装置２８には、第１特別図柄表示部３０が設けられており、第１特別図柄（第１特図）を変動表示可能となっている。更に、図３（ｂ）に示したように、第２図柄表示装置３２に設けられた第２特別図柄表示部３３では、第２特別図柄（第２特図）を変動表示可能となっている。このうち、第１特別図柄は第１始動口１７ａに対応し、第２特別図柄は第２始動口１７ｂに対応しており、第１特別図柄あるいは第２特別図柄は、それぞれ対応する始動口に遊技球が入球すると変動表示を開始する。また、前述したように第１特別図柄表示部３０および第２特別図柄表示部３３は、何れも同様な構成をしており、従って、第１特別図柄も第２特別図柄も同様な態様で変動表示を行う。
【００４１】
図８は、第１特別図柄あるいは第２特別図柄として停止表示する図柄の種類を示す説明図である。尚、第１特別図柄も第２特別図柄も停止表示する図柄は同様であるため、ここでは両者を区別することなく、単に、特別図柄と称するものとする。図８に示されているように、特別図柄として停止表示する図柄として、１００種類の大当り図柄（「１」〜「１００」）と、１種類の外れ図柄（「１０１」）の合計で１０１種類の図柄が設けられている。図３を用いて前述したように、第１特別図柄表示部３０および第２特別図柄表示部３３の何れも７個のＬＥＤによって構成されており、各大当り図柄および外れ図柄は、点灯させるＬＥＤの組合せを互いに異ならせて設定されている。第１図柄表示装置２８および第２図柄表示装置３２では、それぞれ７個のＬＥＤ（第１特別図柄ＬＥＤ３０ａおよび第２特別図柄ＬＥＤ３３ａ）を所定の変動時間にわたって点滅させることによって特別図柄の変動表示を行い、その変動時間が経過すると、所定の組合せのＬＥＤを点灯させることで何れかの大当り図柄あるいは外れ図柄を停止表示する。そして、大当り図柄「１」〜「１００」の何れかが停止表示されると、大入賞口３１ｄが開放状態となる大当り遊技が開始される（大当りが発生する）。１００種類の大当り図柄は、互いに点灯するＬＥＤの組合せが異なるだけであるので、遊技者に対して、停止表示した大当り図柄の種類を判別することを困難にさせている。尚、大当り図柄（当り図柄）は、主制御基板２００のＲＯＭ２０２に記憶されている。従って、主制御基板２００のＲＯＭ２０２は、本発明における「当り図柄記憶手段」に対応している。
【００４２】
また、第１始動口１７ａあるいは第２始動口１７ｂへの遊技球の入球は、該入球を契機とする特別図柄の変動表示が開始されるまで、第１特別図柄の保留（第１特図保留）あるいは第２特別図柄の保留（第２特図保留）としてＲＡＭ２０３の記憶領域（特図保留記憶領域）に記憶される。第１特図保留および第２特図保留は、それぞれ最大４個まで記憶可能となっており、第１特図保留の個数（第１特図保留数）については第１特図保留表示ＬＥＤ３０ｂに表示され、第２特図保留の個数（第２特図保留数）については第２特図保留表示ＬＥＤ３３ｂに表示される。第１特図保留表示ＬＥＤ３０ｂあるいは第２特図保留表示ＬＥＤ３３ｂに特別図柄の保留数を表示する態様は、図７（ａ）に示した普図保留表示ＬＥＤ２９ｂによる普通図柄の保留数表示と同様であるため、ここでは説明を省略する。
【００４３】
第１特別図柄あるいは第２特別図柄の変動表示および停止表示に合わせて、演出表示装置２７では演出図柄（識別図柄２７ａ，２７ｂ，２７ｃなど）を用いた各種の演出（図柄変動演出）が行われる。図９は、演出表示装置２７で行われる演出の一態様を例示した説明図である。演出表示装置２７を構成する液晶表示画面には、３つの識別図柄２７ａ，２７ｂ，２７ｃが表示されている。第１図柄表示装置２８あるいは第２図柄表示装置３２の何れかで特別図柄の変動表示が開始されると、演出表示装置２７においても３つの識別図柄２７ａ，２７ｂ，２７ｃが一斉に変動表示を開始する。本実施例では、識別図柄として「１」〜「９」までの９つの数字を意匠化した図柄が用意されている。
【００４４】
図９（ａ）には、３つの識別図柄２７ａ，２７ｂ，２７ｃが一斉に変動表示している様子が概念的に示されている。変動表示が開始された後、所定時間が経過すると、初めに左識別図柄２７ａが「１」〜「９」のいずれかの図柄で停止表示され、次いで、右識別図柄２７ｃが停止表示され、最後に中識別図柄２７ｂが停止表示される。これら演出表示装置２７で停止表示される３つの識別図柄２７ａ，２７ｂ，２７ｃの組合せは、前述した第１図柄表示装置２８あるいは第２図柄表示装置３２で停止表示される特別図柄（第１特別図柄あるいは第２特別図柄）の停止表示態様と連動するように構成されている。例えば、第１特別図柄あるいは第２特別図柄が「大当り図柄」で停止する場合は、演出表示装置２７の３つの識別図柄２７ａ，２７ｂ，２７ｃが同じ図柄となる図柄組合せ（ゾロ目）で停止表示される。また、第１特別図柄あるいは第２特別図柄が「外れ図柄」で停止する場合は、３つの識別図柄２７ａ，２７ｂ，２７ｃは同じ図柄で揃わない図柄組合せ（バラケ目）で停止表示される。
【００４５】
このように、第１図柄表示装置２８あるいは第２図柄表示装置３２で表示される特別図柄と、演出表示装置２７で表示される３つの識別図柄２７ａ，２７ｂ，２７ｃとは、表示内容が互いに対応しており、変動表示中の第１特別図柄あるいは第２特別図柄が停止表示する際には、３つの識別図柄２７ａ，２７ｂ，２７ｃも停止表示するようになっている。しかも、図２に示すように、演出表示装置２７は、第１図柄表示装置２８や第２図柄表示装置３２よりも目に付き易い位置に設けられており、表示画面も大きく、表示内容も分かり易いので、遊技者は演出表示装置２７の画面を見ながら遊技を行うことが通常である。従って、演出表示装置２７の表示画面上で初めに停止表示される左識別図柄２７ａと、続いて停止表示される右識別図柄２７ｃとが同じ図柄であった場合には、最後に停止表示される中識別図柄２７ｂも同じ図柄で停止して、いわゆる大当り遊技が開始されるのではないかと、遊技者は識別図柄の変動表示（図柄変動演出）を注視することになる。このように、２つの識別図柄を同じ図柄（大当り図柄となり得る態様）で停止させて最後の識別図柄を変動表示させた状態で行われる演出は「リーチ演出」と呼ばれており、このリーチ演出を発生させることで遊技興趣を高めることが可能となっている。
【００４６】
Ｃ．遊技機の制御内容  ：
Ｃ−１．遊技制御処理  ：
図１０は、主制御基板２００に搭載されたＣＰＵ２０１が、遊技の進行を制御するために行う遊技制御処理の大まかな流れを示したフローチャートである。尚、主制御基板２００は、本発明における「遊技制御手段」に対応している。
【００４７】
図１０に示すように、遊技制御処理では、「賞球関連処理」「普通図柄遊技処理」「第２始動口閉鎖処理」「特図保留関連処理」「特別図柄遊技処理」「大当り遊技処理」などの各処理が繰り返し実行されている。ＣＰＵ２０１は、所定周期毎に発生するタイマ割り込みに基づき遊技制御処理を行うように構成されており、本実施例では、４ｍｓｅｃ毎にタイマ割り込みが発生するものとなっている。つまり、図１０に示す遊技制御処理は、ＣＰＵ２０１における４ｍｓｅｃ毎のタイマ割り込み処理として実行される。そして、遊技制御処理中に、サブ制御基板２２０を初めとする各種制御基板に向けて、主制御基板２００から各種コマンドを送信する。こうすることにより、パチンコ機１全体の遊技が進行するとともに、サブ制御基板２２０では、遊技の進行に合わせた演出の制御が行われることになる。以下、フローチャートに従って、主制御基板２００に搭載されたＣＰＵ２０１が行う遊技制御処理について説明する。
【００４８】
ＣＰＵ２０１は、遊技制御処理を開始すると、遊技球を賞球として払い出すための処理（賞球関連処理）を行う（Ｓ５０）。この処理では、主制御基板２００に接続された各種スイッチのうち、遊技球の入賞に関わるスイッチ（第１始動口スイッチ１７ｓや、第２始動口スイッチ１７ｔ、大入賞口スイッチ３１ｓなど）について、遊技球が入球したか否かを検出する。そして、遊技球の入球が検出された場合には、払い出すべき賞球数を算出した後、払出制御基板２４０に向かって賞球数指定コマンドを送信する。払出制御基板２４０は、主制御基板２００から送信された賞球数指定コマンドを受信するとコマンドの内容を解釈し、その結果に従って、払出装置（図示せず）に搭載された払出モータ１０９ｍに駆動信号を送信することにより、実際に賞球を払い出す処理を行う。
【００４９】
主制御基板２００のＣＰＵ２０１は、賞球関連処理（Ｓ５０）に続いて、普通図柄遊技処理を行うか否かを判断する（Ｓ１００）。この判断は、第２始動口１７ｂが開放状態であるか否かを検出することによって行う。第２始動口１７ｂが開放状態でなければ普通図柄遊技処理を行うものと判断し（Ｓ１００：ｙｅｓ）、第２始動口１７ｂが開放状態であれば普通図柄遊技処理は行わないものと判断する（Ｓ１００：ｎｏ）。そして、普通図柄遊技処理を行うと判断した場合は（Ｓ１００：ｙｅｓ）、以下に説明する普通図柄遊技処理を行う（Ｓ１５０）。これに対して、普通図柄遊技処理を行わないと判断した場合は（Ｓ１００：ｎｏ）、普通図柄遊技処理（Ｓ１５０）は省略する。
【００５０】
普通図柄遊技処理（Ｓ１５０）では、主に次のような処理を行う。先ず、普通図柄の保留（普図保留）が存在するか否か（「０」であるか否か）を判定し、普図保留が存在する場合には普通図柄の当り判定を行う。ここで、普図保留は、遊技球が普通図柄作動ゲート３６，３７を通過することにより取得される普図当り判定乱数を記憶するものであり、本実施例では、その保留数の上限値を「４」としている。そして、普通図柄の当り判定の結果に基づき、普通図柄を当り図柄（図７（ａ）参照）で停止表示させるか、外れ図柄で停止表示させるかを決定する。続いて、普通図柄の変動表示時間を設定した後、普通図柄の変動表示を開始し、その後、変動表示時間が経過すると、決定しておいた図柄で普通図柄を停止表示させる。このとき、普通図柄の当り図柄が停止表示された場合には、第２始動口ソレノイド１８ｍを作動させて、第２始動口１７ｂに設けられた翼片１７ｗを両側に回動させることにより、第２始動口１７ｂを開放状態とする（図５（ｂ）参照）。
【００５１】
以上のようにして普通図柄遊技処理を終了したら、第２始動口１７ｂが開放状態であるか否かを判断する（Ｓ１９０）。そして、開放状態である場合は（Ｓ１９０：ｙｅｓ）、第２始動口１７ｂを開放状態から閉鎖状態にするための処理（第２始動口閉鎖処理）を行う（Ｓ２００）。一方、第２始動口１７ｂが開放状態でない場合は（Ｓ１９０：ｎｏ）、第２始動口閉鎖処理を行う必要はないので省略する。
【００５２】
第２始動口閉鎖処理（Ｓ２００）では、次の何れかの条件が満足された場合、すなわち、第２始動口１７ｂの開放時間が経過したか、若しくは、第２始動口１７ｂに規定数の遊技球が入球したかの何れかの条件が成立したか否かを判断し、何れかの条件（始動口開放終了条件）が成立した場合に、開放状態の第２始動口１７ｂを閉鎖状態にする処理を行う。一方、第２始動口１７ｂの開放時間が経過しておらず、第２始動口１７ｂへの入球数も規定数に達していない場合（始動口開放終了条件が成立していない場合）は、第２始動口１７ｂを開放状態としたまま、第２始動口閉鎖処理（Ｓ２００）を終了する。
【００５３】
ここで、本実施例のパチンコ機１の遊技状態は、大別すると、大当り判定の結果が大当りとなる確率（大当り確率）の設定状況と、第２始動口１７ｂが開放状態になる際の開放時間の設定状況とに基づき決定される。このうち、第２始動口１７ｂの開放時間の設定状況に基づく遊技状態として「開放延長状態」と「非開放延長状態」の何れかに設定される。「開放延長状態」は「非開放延長状態」に比べ、前述の普通図柄の当り判定の結果が「当り」となる確率（普図当り確率）が高く、普通図柄の変動表示時間（普図変動時間）が短く、第２始動口１７ｂの開放時間が長く設定される。従って、開放延長状態は、非開放延長状態と比較して、第２始動口１７ｂが頻繁に開放状態になるとともに該開放状態にある期間が長くなるので、第２始動口１７ｂへの遊技球の入球可能性が高くなる。詳しくは後述するが、このような構成を実現するために、本実施例のパチンコ１では、遊技状態が「開放延長状態」に設定されている場合は「開放延長フラグ」および「変動短縮フラグ」がＯＮに設定され、遊技状態が「非開放延長状態」に設定されている場合はこれらのフラグがＯＦＦに設定される。そして、主制御基板２００のＣＰＵ２０１は、「変動短縮フラグ」がＯＮに設定されていることに基づき、普図当り確率を高確率（例えば「９９／１００」）、普図変動時間を短時間（例えば「１秒」）にそれぞれ設定し、「開放延長フラグ」がＯＮに設定されていることに基づき、第２始動口１７ｂの開放時間を長時間（例えば「１．５秒×３回開放＝４．５秒」）に設定する。一方、主制御基板２００のＣＰＵ２０１は、変動短縮フラグがＯＦＦに設定されていることに基づき、普図当り確率を低確率（例えば「２／１００」）、普図変動時間を長時間（例えば「２０秒」）にそれぞれ設定し、開放延長フラグがＯＦＦに設定されていることに基づき、第２始動口１７ｂの開放時間を短時間（例えば「０．１秒×３回開放＝０．３秒」）に設定する。尚、変動短縮フラグおよび開放延長フラグは、同じタイミングでＯＮあるいはＯＦＦに設定されるので、何れか一方のフラグのみを設定して、該一方のフラグを他方のフラグに代えて利用する構成としてもよい。
【００５４】
Ｃ−２．特図保留関連処理  ：
図１１は、特図保留関連処理を示すフローチャートである。特図保留関連処理（Ｓ２５０）では、先ず初めに、第１始動口１７ａに遊技球が入球したか否かを判断する（Ｓ２５２）。その結果、第１始動口１７ａに遊技球が入球した場合は（Ｓ２５２：ｙｅｓ）、第１特別図柄の保留数（第１特図保留数）が上限値（本実施例では「４」）に達しているか否かを判断する（Ｓ２５４）。そして、第１特図保留数が上限値に達していなければ（Ｓ２５４：ｎｏ）、判定乱数を取得する（Ｓ２５６）。ここで、判定乱数としては、後述する大当り判定を行うために用いられる大当り判定乱数や、第１図柄表示装置２８（あるいは第２図柄表示装置３２）で停止表示する図柄を決定するために用いられる大当り図柄決定乱数（大当り図柄決定乱数、外れ図柄決定乱数）、図柄が停止表示するまでの変動パターンを決定するために用いられる変動パターン決定乱数、演出表示装置２７でリーチ演出を行うか否かを決定するために用いられるリーチ決定乱数などの乱数を取得する。続いて、取得した判定乱数を、主制御基板２００に搭載されたＲＡＭ２０３（特図保留記憶領域）に第１特図保留として記憶する（Ｓ２５８）。
【００５５】
こうして、第１特図保留を記憶したら（Ｓ２５８）、第１特図保留数に「１」を加算する（Ｓ２６０）。これに対して、第１始動口１７ａに遊技球が入球していない場合や（Ｓ２５２：ｎｏ）、第１特図保留数が上限値（ここでは「４」）に達していた場合は（Ｓ２５４：ｙｅｓ）、判定乱数を取得したり、判定乱数を第１特図保留（第１保留）として記憶したりする一連の処理（Ｓ２５６〜Ｓ２６０）は省略する。
【００５６】
以上のようにして、第１特図保留（第１保留）に関する処理を終了したら、続いて第２特図保留（第２保留）に関する処理を開始する。第２特図保留に関する処理は、第１始動口１７ａに対して行った上述の第１特図保留に関する処理を、第２始動口１７ｂに対して行う処理である。以下、簡単に説明すると、先ず初めに、第２始動口１７ｂに遊技球が入球したか否かを判断し（Ｓ２６４）、第２始動口１７ｂに遊技球が入球していれば（Ｓ２６４：ｙｅｓ）、第２特図保留数が上限値（本実施例では「４」）に達しているか否かを判断する（Ｓ２６６）。その結果、第２特図保留数が上限値に達していなければ（Ｓ２６６：ｎｏ）、判定乱数（大当り判定乱数、大当り図柄決定乱数、リーチ決定乱数など）を取得して（Ｓ２６８）、取得した判定乱数を、主制御基板２００に搭載されたＲＡＭ２０３（特図保留記憶領域）に第２特図保留として記憶する（Ｓ２７０）。そして、第２特図保留数に「１」を加算する（Ｓ２７２）。一方、第２始動口１７ｂに遊技球が入球していない場合や（Ｓ２６４：ｎｏ）、第２特図保留数が上限値（ここでは「４」）に達していた場合は（Ｓ２６６：ｙｅｓ）、判定乱数を取得したり、判定乱数を第２特図保留として記憶したりする一連の処理（Ｓ２６８〜Ｓ２７２）は省略する。
【００５７】
以上のようにして、第１特図保留および第２特図保留に関する処理を終了したら、図１１に示した特図保留関連処理を終了して、図１０の遊技制御処理に復帰する。そして、特図保留関連処理から復帰すると、遊技制御処理では、以下に説明する特別図柄遊技処理（Ｓ３００）を開始する。
【００５８】
Ｃ−３．特別図柄遊技処理  ：
図１２および図１３は、特別図柄遊技処理を示したフローチャートである。主制御基板２００のＣＰＵ２０１は、特別図柄遊技処理を開始すると、大当り遊技中であるか否かを判断する（Ｓ３０２）。そして、大当り遊技中であった場合は（Ｓ３０２：ｙｅｓ）、そのまま特別遊技処理を終了して、図１０の遊技制御処理に復帰する。これに対して、大当り遊技中ではなかった場合は（Ｓ３０２：ｎｏ）、第１特図または第２特図の何れかが変動表示中か否かを判断する（Ｓ３０４）。
【００５９】
第１特図あるいは第２特図の何れも変動表示中でない場合は（Ｓ３０４：ｎｏ）、第１特図あるいは第２特図を停止図柄（停止表示させる図柄）で表示させる時間（特別図柄の停止表示時間）中であるか否かを判断する（Ｓ３０６）。すなわち、第１特図あるいは第２特図の何れも、変動表示が終了してから暫くの期間は、変動表示の終了に伴い停止表示された図柄を遊技者が確認するための確認時間として停止表示時間が設けられているので、この停止表示時間中か否かを判断する。その結果、第１特図および第２特図が変動表示しておらず且つ特別図柄の停止表示時間も経過していることが確認された場合は（Ｓ３０６：ｎｏ）、特別図柄の変動表示を開始するための処理（特図変動表示処理）を開始する（Ｓ３１０）。
【００６０】
図１４は特図変動表示処理の前半部分を示したフローチャートであり、図１５は特図変動表示処理の後半部分を示したフローチャートである。図示されるように、特図変動表示処理では、先ず、第２特図保留数が「０」であるか否かを判断する（Ｓ３１００）。その結果、第２特図保留数が「０」でなければ（第２特図保留数≧１）（Ｓ３１００：ｎｏ）、記憶されている第２特図保留の中から最も古くに記憶された第２特図保留を読み出す（Ｓ３１０２）。このＳ３１０２の処理では、第２特図保留として記憶されている各種の判定乱数を読み出す。
【００６１】
これに対して、第２特図保留数が「０」である場合は（Ｓ３１００：ｙｅｓ）、第１特図保留数が「０」であるか否かを判断する（Ｓ３１０４）。その結果、第１特図保留数が「０」でなければ（第１特図保留数≧１）（Ｓ３１０４：ｎｏ）、記憶されている第１特図保留の中から最も古くに記憶された第１特図保留を読み出す（Ｓ３１０６）。これに対して、第１特図保留数が「０」である場合は（Ｓ３１０４：ｙｅｓ）、既に第２特図保留数も「０」と判断されていることから、第１特図保留および第２特図保留の何れも記憶されていないと判断されるので、後述の大当り判定や第１特図あるいは第２特図の変動表示を開始する必要はない。そこで、図１４および図１５の特図変動表示処理を終了して、図１２および図１３に示した特別図柄遊技処理に復帰する。
【００６２】
尚、上述したように特図変動表示処理では、先ず初めに第２特図保留が記憶されているか否かを判断し（Ｓ３１００）、第２特図保留が記憶されてない場合にだけ（Ｓ３１００：ｙｅｓ）、第１特図保留が記憶されているか否かを判断している。従って、第１特図保留と第２特図保留とが両方とも記憶されている場合には、常に第２特図保留が第１特図保留に優先して読み出されることとなり（第２特図保留を優先消化することとなり）、第１特図保留が読み出されるのは、第２特図保留が記憶されていない場合に限られる。
【００６３】
以上のようにして、第１特図保留または第２特図保留の何れかを読み出したら（Ｓ３１０２またはＳ３１０６）、高確フラグがＯＮに設定されているか否かを判断する（Ｓ３１０８）。ここで、本実施例のパチンコ機１の遊技状態は、前述した「開放延長状態」あるいは「非開放延長状態」の何れかに設定されるとともに、特別図柄が大当り図柄で停止表示する確率（特図当り確率もしくは大当り確率）の高い「高確率状態」あるいは該確率が高確率状態より低い「低確率状態」の何れかに設定される。高確フラグとは、高確率状態（確変機能が作動した状態）を設定するときにＯＮに設定されるフラグであり、主制御基板２００に搭載されたＲＡＭ２０３の所定アドレスが、高確フラグとして割り当てられている。主制御基板２００のＣＰＵ２０１は、高確フラグの設定状況に基づき現在の遊技状態が高確率状態か否かを判断する。Ｓ３１０８の結果、高確フラグがＯＮに設定されていれば（Ｓ３１０８：ｙｅｓ）、高確率用の大当り判定テーブルを選択し（Ｓ３１２０）、高確フラグがＯＮに設定されていなければ（Ｓ３１０８：ｎｏ）、低確率用の大当り判定テーブルを選択する（Ｓ３１２２）。大当り判定テーブルとは、大当り判定乱数の値に対応付けて「大当り」または「外れ」の判定結果が設定されているテーブルであり、主制御基板２００のＲＯＭ２０２に予め記憶されている。
【００６４】
図１６は、本実施例のパチンコ機１に記憶されている大当り判定テーブルを例示した説明図である。図１６（ａ）には低確率用の大当り判定テーブルが示されており、図１６（ｂ）には高確率用の大当り判定テーブルが示されている。図１６（ａ）に示すように、低確率用の大当り判定テーブルには、「０」〜「５９９」の大当り判定乱数の値のうち「１３」〜「１４」の値に対して「大当り」の判定結果が設定されている。また、図１６（ｂ）に示すように、高確率用の大当り判定テーブルには、「０」〜「５９９」の大当り判定乱数の値のうち「１３」〜「３２」の値に対して「大当り」の判定結果が設定されている。
【００６５】
図１６（ａ）と図１６（ｂ）とを比較すれば明らかなように、図１６（ｂ）に示した高確率用の大当り判定テーブルは、図１６（ａ）に示した低確率用の大当り判定テーブルよりも多くの乱数値に「大当り」の判定結果が設定されている。換言すれば、高確率用の大当り判定テーブルには、低確率用の大当り判定テーブルよりも多くの「大当りの判定結果が得られる乱数値（大当り値）」が設定されていることになる。従って、図１６（ｂ）の高確率用の大当り判定テーブルを用いて大当り判定を行った場合には、図１６（ａ）の低確率用の大当り判定テーブルを用いて大当り判定を行った場合よりも、高確率で「大当り」の判定結果が得られることになる。
【００６６】
続いて、図１５の特図変動表示処理では、Ｓ３１２０またはＳ３１２２の処理で選択した大当り判定テーブルを参照して、第１特図保留または第２特図保留として読み出した大当り判定乱数の値が「大当り」に対応する値（大当り値）か否かを判断する（Ｓ３１２４）。つまり、今回の大当り判定の結果が大当りか否かを判断する。
【００６７】
その結果、今回の大当り判定の結果が大当りでない場合は（Ｓ３１２４：ｎｏ）、外れ変動パターンを選択する処理を行う（Ｓ３１４０）。外れ変動パターン選択処理では、第１図柄表示装置２８または第２図柄表示装置３２で特別図柄（第１特図または第２特図）の変動表示を開始してから停止表示させるまでの変動パターンのうち、外れ図柄で停止表示させる際の変動パターン（外れ変動パターン）を選択する処理が行われる。
【００６８】
ここで、変動パターンおよび変動パターンテーブルについて説明する。変動パターンおよび変動パターンテーブルは、主制御基板２０１のＲＯＭ２０２に記憶されている。変動パターンとしては特別図柄の変動時間が記憶されている。特別図柄の変動開始時に所定の変動パターンが選択されると、特別図柄は該変動パターンの変動時間だけ変動表示されて停止表示される。また、各変動パターンに対応付けて該変動パターンを識別する情報（変動パターン識別情報）が記憶されている。
【００６９】
変動パターンテーブルは、判定乱数として取得される変動パターン決定乱数に対応付けて複数の変動パターンが記憶されたテーブルである。変動パターンテーブルは、大当り判定の結果および遊技状態に応じて複数が記憶されている。例えば、図１７には、大当り判定結果が外れであり、遊技状態が低確率状態且つ非開放延長状態である場合に選択されるテーブル（低確率非開放延長用外れ変動パターンテーブル）が示されている。
【００７０】
Ｓ３１４０の処理では、現在の遊技状態を把握して、外れの大当り判定結果に対応する変動パターンテーブル（外れ変動パターンテーブル）のうち、該遊技状態に対応しているテーブルを選択する。そして、図１１のＳ２５６あるいはＳ２６８の処理で判定乱数として取得した変動パターン決定乱数を把握する。さらに、選択した変動パターンテーブルを参照して、取得した変動パターン決定乱数に対応する変動パターンを選択し、この選択した変動パターンを、今回開始する変動表示用として記憶する。
【００７１】
こうして、外れ変動パターンを選択したら（Ｓ３１４０）、停止表示させる図柄（停止図柄）として、図８を用いて前述した外れ図柄「１０１」をＲＡＭ２０３の記憶領域（停止図柄記憶領域）に記憶する（Ｓ３１４２）。
【００７２】
一方、今回の大当り判定の結果が大当りであると判断された場合には（Ｓ３１２４：ｙｅｓ）、大当り図柄を選択するための処理（大当り図柄選択処理）を行う。この処理では、先ず、Ｓ３１０２またはＳ３１０６で第１特図保留または第２特図保留として読み出した判定乱数のうち大当り図柄決定乱数を用いて、その大当り図柄決定乱数に対応する大当り図柄を、大当り図柄決定テーブルを参照して選択（決定）する（Ｓ３１２６）。
【００７３】
図１８は、大当り図柄決定テーブルを概念的に示した説明図である。大当り図柄決定テーブルは、大当り図柄決定乱数の値に対応付けて複数の大当り図柄が設定されているテーブルであり、主制御基板２００のＲＯＭ２０２に予め記憶されている。図８を用いて前述したように、本実施例のパチンコ機１には、大当り判定結果が大当りである場合に停止表示する大当り図柄として、１００種類の大当り図柄「１」〜「１００」が設定されている。図１８に示すように、大当り図柄決定テーブルには「０〜９９」の１００個の大当り図柄決定乱数が設定されており、各大当り図柄決定乱数に対応付けて大当り図柄「１」〜「１００」が設定されている。Ｓ３１２６の処理では、このような大当り図柄決定テーブルを参照して大当り図柄決定乱数に対応する大当り図柄を選択する。こうして大当り図柄を選択したら（Ｓ３１２６）、該大当り図柄を停止図柄としてＲＡＭ２０３の記憶領域（停止図柄記憶領域）に記憶する（Ｓ３１２８）。
【００７４】
大当り図柄記憶領域に大当り図柄を記憶したら（Ｓ３１２８）、大当り変動パターンを選択する処理（大当り変動パターン選択処理）を行う（Ｓ３１３０）。大当り変動パターン選択処理では、第１図柄表示装置２８または第２図柄表示装置３２で特別図柄（第１特図または第２特図）の変動表示を開始してから停止表示させるまでの変動パターンのうち、大当り図柄で停止表示させる際の変動パターン（大当り変動パターン）を選択する処理が行われる。
【００７５】
こうして、停止表示する図柄を記憶するとともに（Ｓ３１２８、Ｓ３１４２）変動パターンを選択したら（Ｓ３１３０、Ｓ３１４０）、先に行われた大当り判定が、第２特図保留に基づいて行われたものであるか否かを判断する（Ｓ３１５２）。その結果、第２特図保留に基づいて行われたものであった場合は（Ｓ３１５２：ｙｅｓ）、選択した変動パターンに従って、第２図柄表示装置３２で特別図柄（第２特図）の変動表示を開始した後（Ｓ３１５４）、第２特図保留数から「１」を減算する（Ｓ３１５６）。一方、大当り判定が第２特図保留に基づいて行われたものではなかった場合、すなわち第１特図保留に基づいて行われたものである場合は（Ｓ３１５２：ｎｏ）、選択した変動パターンに従って、第１図柄表示装置２８で特別図柄（第１特図）の変動表示を開始した後（Ｓ３１５８）、第１特図保留数から「１」を減算する（Ｓ３１６０）。
【００７６】
こうして第２特図保留数または第１特図保留数から「１」を減算したら（Ｓ３１５６またはＳ３１６０）、今回、変動表示を開始した第１特図または第２特図の変動パターンの種類を指定する（変動パターン識別情報が含まれた）変動パターン指定コマンドや、変動表示を経て停止表示される特別図柄の停止図柄を指定する停止図柄指定コマンドを、変動開始時コマンドとしてサブ制御基板２２０に向けて送信する（Ｓ３１６２）。
【００７７】
尚、サブ制御基板２２０に搭載されたＣＰＵ２２１は、上述の変動開始時コマンドを受信すると、特別図柄の停止図柄を指定する停止図柄指定コマンドに基づき演出表示装置２７で停止表示する識別図柄を選択するとともに、変動パターンの種類を指定する変動パターン指定コマンドに基づき演出表示装置２７での識別図柄の演出パターンを選択する。すなわち、変動パターン指定コマンドが、大当り変動パターンを示すものであれば、識別図柄２７ａ，２７ｂ，２７ｃが大当り態様で停止表示される演出パターンが選択される。また、変動パターン指定コマンドが、外れ変動パターンを示すものであれば、識別図柄２７ａ，２７ｂ，２７ｃが外れ態様で停止表示される演出パターンが選択される。サブ制御基板２２０のＣＰＵ２２１は、選択された演出パターンおよび識別図柄を用いて、演出表示装置２７の表示画面上で図柄変動演出を実行する。
【００７８】
こうして変動開始時コマンド（変動パターン指定コマンドおよび停止図柄指定コマンド）を、サブ制御基板２２０に向かって送信したら（Ｓ３１６２）、図１４および図１５に示した特図変動表示処理を終了して、図１２および図１３の特別図柄遊技処理に復帰する。
【００７９】
以上では、特別図柄遊技処理の実行に際して大当り遊技中ではなく（Ｓ３０２：ｎｏ）、第１特図および第２特図の何れも変動表示していない（Ｓ３０４：ｎｏ）と判断された場合の処理について説明した。これに対して、大当り遊技中ではないが（Ｓ３０２：ｎｏ）、第１特図または第２特図の何れかが変動表示中であると判断された場合は（Ｓ３０４：ｙｅｓ）、既に、特別図柄（第１特図または第２特図）の変動パターンと停止図柄とが決定されて、第１特図または第２特図の変動が開始されている場合に該当する。そこで、特別図柄の変動時間が経過したか否かを判断する（Ｓ３１２）。第１特図または第２特図の変動時間は変動パターンに応じて予め定められているので、第１特図または第２特図の変動を開始すると同時に所定のタイマ（変動時間計測タイマ）に変動時間を設定することにより、所定の変動時間が経過したかを判断することができる（変動時間計測手段）。その結果、未だ変動時間が経過していない場合は（Ｓ３１２：ｎｏ）、そのまま特別図柄遊技処理を終了して、図１０に示す遊技制御処理に復帰する。
【００８０】
これに対して、変動時間が経過したと判断された場合は（Ｓ３１２：ｙｅｓ）、変動表示中の第１特図あるいは第２特図を停止表示させることを示すコマンド（図柄停止コマンド）をサブ制御基板２２０に向かって送信し（Ｓ３１４）、変動表示中の第１特図または第２特図を、図１５のＳ３１２８、Ｓ３１４２の処理で停止図柄記憶領域に記憶した図柄で停止表示させる（Ｓ３１６）。そして、停止表示させた特別図柄を停止状態のまま保持する時間（停止表示時間）を設定した後（Ｓ３１８）、設定した停止表示時間が経過したか否かを判断する（Ｓ３２０）。その結果、停止表示時間が経過していない場合は（Ｓ３２０：ｎｏ）、そのまま特別図柄遊技処理を終了して図１０に示す遊技制御処理に復帰する。
【００８１】
こうして第１特図あるいは第２特図が停止表示された状態で、図１０の遊技制御処理に復帰した後、再び図１２および図１３の特別図柄遊技処理が開始されると、第１特図および第２特図が変動表示中ではないと判断され（Ｓ３０４：ｎｏ）、続いて、特別図柄の停止表示時間中か否かの判断では、停止表示時間中と判断されるので（Ｓ３０６：ｙｅｓ）、再び停止表示時間が経過したか否かを判断する（Ｓ３２０）。このような判断を繰り返しているうちに停止表示時間が経過したと判断されると（Ｓ３２０：ｙｅｓ）、停止表示された特別図柄（第１特図あるいは第２特図）が「大当り図柄」であるか否かを判断する（図１３のＳ３２２）。その結果、停止表示された特別図柄が「大当り図柄」であった場合は（Ｓ３２２：ｙｅｓ）、「大当り図柄の種類」「特別図柄の種類」「大当り発生時の遊技状態」を主制御基板２００に搭載されているＲＡＭ２０３の所定アドレスに記憶する（Ｓ３２４）。すなわち、停止表示された「大当り図柄」は大当り図柄「１」〜「１００」の何れか（大当り図柄の種類）、その「大当り図柄」が停止表示されたのは第１特図か第２特図か（特別図柄の種類）、その「大当り図柄」が停止表示された時の遊技状態は開放延長状態あるいは非開放延長状態の何れか（大当り発生時の遊技状態）を記憶する。
【００８２】
詳しくは後述するが、本実施例のパチンコ機１では、大当り図柄が停止表示されて大当り遊技が実行された場合は、その大当り遊技終了後の遊技状態を、「大当り図柄の種類」「特別図柄の種類」「大当り発生時の遊技状態」に応じて設定するように構成されている。
【００８３】
続いて、大当り遊技中の大入賞口３１ｄの開放パターンを設定する（Ｓ３２６）。詳しくは後述するが、本実施例のパチンコ機１では、大入賞口が短時間（例えば０．１秒）開放するラウンド遊技が２回行われる大当り遊技と、大入賞口が長時間（例えば３０秒あるいは遊技球が１０個入球するまで）開放する１５回行われる大当り遊技とが設定されている。Ｓ３２６の処理では、今回開始する大当り遊技のラウンド遊技の回数（ラウンド回数）に応じて大入賞口３１ｄの開放パターン（開放回数、開放時間、閉鎖時間）が設定される。
【００８４】
こうして、大入賞口３１ｄの開放パターンを設定すると、大当り遊技を開始すべく、大当りフラグをＯＮに設定する（Ｓ３２８）。大当りフラグとは、大当り遊技が実行されている（大当り遊技中である）ことを表すフラグであり、主制御基板２００に搭載されたＲＡＭ２０３の所定のアドレスが大当りフラグの記憶領域として確保されている。主制御基板２００のＣＰＵ２０１は、大当りフラグの設定状態に応じて、大当り遊技の実行中か否かを把握する。詳しくは後述するが、大当りフラグがＯＮに設定された状態で、図１０の遊技制御処理に復帰すると、大当り遊技が開始される。
【００８５】
また、大当り遊技の開始時に、各種の遊技状態に関連するフラグ（開放延長フラグ、変動短縮フラグ、高確フラグ）がＯＮに設定されていれば、そのフラグをＯＦＦに設定する。これらのフラグは、大当り遊技終了時に遊技状態を設定する際に改めて設定される。こうして大当り遊技を開始するにあたってのフラグ設定処理を終了すると（Ｓ３２８およびＳ３３０）、大当り遊技を開始する旨を表すコマンド（大当り遊技開始コマンド）をサブ制御基板２２０に向かって送信する（Ｓ３３２）。サブ制御基板２２０のＣＰＵ２２１は、大当り遊技開始コマンドを受信すると、大当り遊技に対応した表示演出を演出表示装置２７の液晶画面上で実行する。大当り遊技開始コマンドを送信したら（Ｓ３３２）、図１２および図１３に示した特別図柄遊技処理を終了して、図１０の遊技制御処理に復帰する。
【００８６】
以上は、第１図柄表示装置２８あるいは第２図柄表示装置３２で停止表示された特別図柄（すなわち第１特図あるいは第２特図）が大当り図柄であった場合（Ｓ３２２：ｙｅｓ）の処理について説明したが、停止表示された特別図柄が大当り図柄でなかった場合は（Ｓ３２２：ｎｏ）、遊技状態が開放延長状態である期間（開放延長期間）の進行に関する処理を行う。本実施例のパチンコ機１では、大当り遊技の終了に続いて開放延長期間が開始され、この開放延長期間が開始してからの第１特図の変動表示回数と第２特図の変動表示回数との合計（遊技回数）が所定回数に到達すると、開放延長期間が終了するように構成されている。そこで、開放延長期間の進行に関する処理では、先ず、変動短縮フラグがＯＮに設定されているか否か（開放延長期間か否か）を判断する（Ｓ３４０）。その結果、開放延長期間である場合は（Ｓ３４０：ｙｅｓ）、変動短縮カウンタの値から「１」を減算する（Ｓ３４２）。変動短縮カウンタは、開放延長期間が終了するまでの特別図柄の残り変動表示回数（遊技回数）が設定されているカウンタで、特別図柄の変動表示（１回の遊技）が終了する毎（停止表示する毎）に「１」減算される。Ｓ３４２の処理により「１」減算した後の変動短縮カウンタの値が「０」、すなわち、開放延長期間での特別図柄の残り変動表示回数が「０回」になったら（Ｓ３４４：ｙｅｓ）、開放延長期間を終了すべく、開放延長フラグおよび変動短縮フラグをＯＦＦに設定する（Ｓ３４６）。
【００８７】
こうして開放延長期間を終了させる処理を行ったら（Ｓ３４６）、遊技状態が非開放延長状態になることを示す遊技状態指定コマンドをサブ制御基板２２０に向かって送信する（Ｓ３４９）。その後、特別図柄遊技処理を終了して、図１０に示す遊技制御処理に復帰する。
【００８８】
Ｓ３４４の処理で、開放延長期間での特別図柄の残り変動表示回数が「０回」ではないと判断した場合は（Ｓ３４４：ｎｏ）、未だ開放延長期間を終了させないので、そのまま特別図柄遊技処理を終了して、図１０に示す遊技制御処理に復帰する。また、開放延長期間ではないと判断された場合は（Ｓ３４０：ｎｏ）、変動短縮カウンタや、変動短縮フラグ、開放延長フラグの設定に係る処理を行うことなく、特別図柄遊技処理を終了して、図１０に示す遊技制御処理に復帰する。
【００８９】
図１０に示すように、遊技制御処理では、特別図柄遊技処理から復帰すると、大当りフラグがＯＮに設定されているか否かを判断する（Ｓ３５０）。前述したように大当りフラグは、遊技状態が大当り遊技であることを表すフラグである。そこで、主制御基板２００のＣＰＵ２０１は、大当りフラグがＯＮに設定されている場合は（Ｓ３５０：ｙｅｓ）、以下に説明する大当り遊技処理を開始する（Ｓ４００）。
【００９０】
Ｃ−４．大当り遊技処理  ：
図１９は、大当り遊技処理を示すフローチャートである。この大当り遊技処理が実行されることによって、大当り遊技が行われる。以下、図１９を参照しながら大当り遊技処理について説明する。
【００９１】
主制御基板２００のＣＰＵ２０１は、大当り遊技処理（Ｓ４００）を開始すると、大入賞口３１ｄが開放中か否かを判断する（Ｓ４０２）。大入賞口３１ｄは、大当り遊技あるいは小当り遊技が開始されない限りは閉鎖されており、従って大当り遊技の開始直後は、大入賞口３１ｄは閉鎖状態となっている。そこで、大入賞口３１ｄは開放中ではないと判断して（Ｓ４０２：ｎｏ）、ラウンド回数が所定回数に達したか否かを判断する（Ｓ４０４）。前述したように大当り遊技中には、大入賞口３１ｄが開放して、所定回数のラウンド遊技が繰り返されることになっている。このことに対応して、大入賞口３１ｄが閉鎖されている場合は（Ｓ４０２：ｎｏ）、大入賞口３１ｄの開放回数（ラウンド回数）が所定回数（図１３のＳ３２６で設定された開放パターンのうちの開放回数）に達したか否かを判断する（Ｓ４０４）。
【００９２】
当然のことながら、大当り遊技が開始された直後は、ラウンド回数は所定回数に達していないので（Ｓ４０４：ｎｏ）、大入賞口３１ｄの閉鎖時間が経過したか否かを判断する（Ｓ４０６）。大入賞口３１ｄの閉鎖時間とは、ラウンドとラウンドとの間で大入賞口３１ｄが閉鎖状態となっている時間である。本実施例では、大入賞口３１ｄの閉鎖時間は、１秒間に設定されている。大当り遊技が開始された直後は、大入賞口３１ｄは閉鎖状態となっているから、当然、大入賞口３１ｄの閉鎖時間が経過していると判断され（Ｓ４０６：ｙｅｓ）、大入賞口３１ｄを開放させて新たなラウンド遊技を開始する（Ｓ４０８）。続いて、ラウンド演出指定処理を実行する（Ｓ４１０）。詳しくは後述するが、ラウンド演出指定処理では、今回開始するラウンド遊技用の演出（ラウンド演出）を選択して、選択したラウンド演出の種類を示すコマンド（後述のラウンド演出指定コマンド）をサブ制御基板２２０に向けて送信する処理を行う。ラウンド演出指定処理を行ったら（Ｓ４１０）、図１９に示した大当り遊技処理を一旦終了して、図１０の遊技制御処理に復帰する。
【００９３】
主制御基板２００のＣＰＵ２０１は遊技制御処理に復帰すると、図１０に示したように、賞球関連処理（Ｓ５０）以降の一連の各種処理を行った後、再び大当り遊技処理（Ｓ４００）を開始する。本実施例では、主制御基板２００のＣＰＵ２０１が図１０に示す遊技制御処理（Ｓ５０〜Ｓ４００）を実行するのに要する時間が「４ｍｓｅｃ」となっているので、図１９に示した大当り遊技処理も４ｍｓｅｃ毎に実行されることになる。そして、特別遊技が開始されて、図１９の大当り遊技処理が初めて実行された場合には、前述したようにＳ４０８において大入賞口３１ｄを開放させて、そのまま処理を終了するが、その４ｍｓｅｃ後に２周目の処理を行う場合には、Ｓ４０２にて、大入賞口３１ｄが開放中（Ｓ４０２：ｙｅｓ）と判断されることになる。
【００９４】
続いて、大入賞口３１ｄの開放時間が所定の開放時間（図１３のＳ３２６で設定された開放パターンのうちの開放時間（例えば０．１秒あるいは３０秒）に達したか否かを判断する（Ｓ４１２）。前述したように、大当り遊技では、大入賞口３１ｄの開放パターンに基づき設定された開放時間が経過するか、その開放時間の経過前に大入賞口３１ｄに規定数（ここでは１０個）の遊技球が入球すると、開放状態になる大入賞口３１ｄは閉鎖される。このことに対応して、Ｓ４１２では大入賞口３１ｄが開放してから所定の開放時間が経過したか否かを判断する。そして、開放時間が経過していれば（Ｓ４１２：ｙｅｓ）、大入賞口３１ｄを閉鎖した後（Ｓ４１６）、図１９に示した大当り遊技処理を抜けて、図１０の遊技制御処理に復帰する。一方、所定の開放時間が経過していない場合は（Ｓ４１２：ｎｏ）、大入賞口３１ｄに入球した遊技球が規定数に達しているか否かを判断する（Ｓ４１４）。そして、遊技球が規定数に達した場合は（Ｓ４１４：ｙｅｓ）、大入賞口３１ｄを閉鎖する（Ｓ４１６）。これに対して、規定数に達していない場合は（Ｓ４１４：ｎｏ）、大入賞口３１ｄが開放してから未だ所定の開放時間が経過しておらず、大入賞口３１ｄに入球した遊技球も規定数に達していないことになるので、大入賞口３１ｄを開放させたまま、図１９に示した大当り遊技処理を抜けて、図１０の遊技制御処理に復帰する。
【００９５】
図１０の遊技制御処理を繰り返し実行しているうちに、大入賞口３１ｄが開放してから所定の開放時間が経過するか（Ｓ４１２：ｙｅｓ）、大入賞口３１ｄに規定数数の遊技球が入球すると（Ｓ４１４：ｙｅｓ）、大入賞口３１ｄを閉鎖する（Ｓ４１６）。
【００９６】
こうして、１回のラウンド遊技が終了する。そして、次のタイマ割り込みの発生による遊技制御処理で大当り遊技処理が実行されるときには、Ｓ４０２において大入賞口３１ｄが閉鎖中と判断されるとともに（Ｓ４０２：ｎｏ）、所定回数のラウンド遊技（例えば２回あるいは１５回）が終了したか否かが判断される（Ｓ４０４）。Ｓ４０４の判断処理の結果、全てのラウンド遊技が終了していなければ（Ｓ４０４：ｎｏ）、大入賞口の閉鎖時間が所定時間に達したことを確認した後（Ｓ４０６：ｙｅｓ）、再び大入賞口３１ｄを開放状態として新たなラウンド遊技を開始し（Ｓ４０８）、ラウンド開始コマンドをサブ制御基板２２０に向かって送信する（Ｓ４１０）。一方、Ｓ４０４において、所定回数のラウンド遊技が終了したと判断された場合は（Ｓ４０４：ｙｅｓ）、大当り遊技を終了させるべく大当りフラグをＯＦＦに設定して（Ｓ４１８）、大当り遊技の終了を示すコマンド（大当り遊技終了コマンド）をサブ制御基板２２０に向かって送信した後（Ｓ４２０）、大当り終了時処理を開始する（Ｓ４５０）。
【００９７】
大当り終了時処理では、大当り遊技終了後の遊技状態を設定する処理が行われる。以下では、大当り終了時処理について説明するが、それに先立って、本実施例のパチンコ機１で実行される大当り遊技について説明する。
【００９８】
図２０は、本実施例のパチンコ機１で実行される大当り遊技を示す説明図である。前述したように、本実施例のパチンコ機１では、大当り図柄が停止表示されて大当り遊技を実行すると、その大当り遊技終了後の遊技状態を「大当り図柄の種類」「特別図柄の種類」「大当り発生時の遊技状態」に応じて設定する。図２０では、左側に「大当り図柄の種類」である大当り図柄「１」〜「１００」が示され、その右側には各大当り図柄が停止表示すると実行される大当り遊技が示されている。また、この大当り遊技は、大当り図柄が停止表示されるのが「第１特別図柄」である場合に実行されるものと、「第２特別図柄」である場合に実行されるもの（特別図柄の種類）に区別して示されており、さらに、大当り図柄が停止表示される時の遊技状態が「非開放延長状態」である場合に実行されるものと、「開放延長状態」である場合に実行されるものに区別して示されている。尚、以下では、遊技状態が開放延長状態である場合に大当り遊技が実行されることを「開放延長時発生」と称し、遊技状態が非開放延長状態である場合に大当り遊技が実行されることを「非開放延長時発生」とも称する。
【００９９】
図２０に示す大当り遊技のうち、「２Ｒ」「１５Ｒ」は大当り遊技中に実行される「ラウンド回数」であり、「２Ｒ」が２回のラウンド遊技が行われることを示し、「１５Ｒ」が１５回のラウンド遊技が行われていることを示している。また、「高確」「低確」は大当り遊技終了後に遊技状態が高確率状態に設定されるか低確率状態に設定されるか（以下、「確率状態」ともいう）を示している。また、括弧内の「回数」および「次回」は、大当り遊技終了後の「開放延長状態の継続期間」を示している。すなわち、「０回」は大当り遊技終了後に開放延長状態が設定されないことを示し、「１００回」は遊技が１００回行われるまで開放延長状態が継続されることを示し、「次回」は次に大当り遊技が開始されるまで開放延長状態が継続されることを示している。尚、本実施例のパチンコ機１では、遊技状態が高確率状態に設定されると、次に大当り遊技が開始されるまで該高確率状態を継続させる。
【０１００】
このように本実施例のパチンコ機１では、「ラウンド回数」「確率状態」「開放延長状態の継続期間」が異なる大当り遊技が実行される。これらのなかでも、「ラウンド回数」については、大当り遊技を開始する際に図１３のＳ３２６の処理において、開放パターンとして設定される。具体的には、図１３のＳ３２４の処理で記憶した「特別図柄の種類」を読み出して、読み出した「特別図柄の種類」が第２特別図柄であればラウンド遊技が１５回の開放パターンを設定する。読み出した「特別図柄の種類」が第１特別図柄であれば「大当り図柄の種類」の種類を読み出して、読み出した「大当り図柄の種類」が大当り図柄「１」〜「２０」であればラウンド遊技が２回の開放パターンを設定し、大当り図柄「２１」〜「１００」であればラウンド遊技が１５回の開放パターンを設定する。
【０１０１】
これに対して「確率状態」「開放延長状態の継続期間」については、大当り終了時処理で設定される。図２１は、本実施例の大当り終了時処理を示すフローチャートである。主制御基板２００のＣＰＵ２０１は、大当り終了時処理を開始すると、今回終了する大当り遊技の開始契機となった大当り図柄が、高確図柄であるか否かを判断する（Ｓ５００）。具体的には、図１３のＳ３２４の処理で記憶した「大当り図柄の種類」を読み出して、読み出した大当り図柄が、図２０に示す「高確」の大当り遊技が開始される大当り図柄「１」〜「６０」であるか否かを判断する（Ｓ５００）。その結果、高確図柄でない場合、すなわち、読み出した大当り図柄が大当り図柄「６１」〜「１００」（低確図柄）である場合は（Ｓ５００：ｎｏ）、今回終了した大当り遊技は「１５Ｒ低確（１００回）」大当り遊技である。この場合は、今回の大当り遊技終了後の遊技状態を低確率状態にすべく高確フラグをＯＦＦに設定したまま、遊技状態を開放延長状態にすべく変動短縮フラグおよび開放延長フラグをＯＮに設定する（Ｓ５０２）。そして、開放延長状態にて実行可能な遊技回数を１００回に設定すべく変動短縮カウンタの値に「１００」を設定する（Ｓ５０４）。続いて、新たに設定された遊技状態を示す遊技状態指定コマンドをサブ制御基板２２０に向けて送信した後（Ｓ５１６）、大当り終了時処理を終了して、図１９に示す大当り遊技処理に復帰する。
【０１０２】
一方、今回終了する大当り遊技の開始契機となった大当り図柄が、高確図柄である場合は（Ｓ５００：ｙｅｓ）、今回の大当り遊技終了後の遊技状態を高確率状態にすべく高確フラグをＯＮに設定する（Ｓ５０６）。続いて、高確図柄であると判断された該大当り図柄が１５Ｒ図柄であるか否かを判断する（Ｓ５０８）。具体的には、図１３のＳ３２４の処理で記憶した「特別図柄の種類」および「大当り図柄の種類」を読み出して、図２０に示す「１５Ｒ高確（次回）」大当り遊技が開始される大当り図柄か否かを判断する。すなわち、「特別図柄の種類」が第１特別図柄であれば大当り図柄「２１」〜「６０」を１５Ｒ図柄であると判断し、「特別図柄の種類」が第２特別図柄であれば全ての大当り図柄「１」〜「６０」を１５Ｒ図柄であると判断する。
【０１０３】
その結果、１５Ｒ図柄である場合、すなわち、今回終了する大当り遊技が「１５Ｒ高確（次回）」大当り遊技である場合は（Ｓ５０８：ｙｅｓ）、遊技状態を開放延長状態にすべく変動短縮フラグおよび開放延長フラグをＯＮに設定する（Ｓ５１０）。そして、開放延長状態にて実行可能な遊技回数を１００００回に設定すべく変動短縮カウンタの値に「１００００」を設定する（Ｓ５１２）。ここで、図１６に示すように、１回の特別図柄の変動表示を経て大当り遊技が実行される可能性は低確率状態でも６００分の２であって、特別図柄の変動表示回数が１００００回に到達するまでには、ほぼ確実に大当り遊技が実行される。従って、変動短縮カウンタの値に「１００００」を設定することによって、実質的に次回の大当り遊技が実行されるまで開放延長状態が継続する。こうして変動短縮カウンタの値に「１００００」を設定したら（Ｓ５１２）、新たに設定された遊技状態を示す遊技状態指定コマンドをサブ制御基板２２０に向けて送信した後（Ｓ５１６）、大当り終了時処理を終了して、図１９に示す大当り遊技処理に復帰する。
【０１０４】
Ｓ５０８の処理で、１５Ｒ図柄でないと判断された場合、すなわち、図２０に示す「２Ｒ」の大当り遊技が開始される大当り図柄である場合は（Ｓ５０８：ｎｏ）、図１３のＳ３２４の処理で記憶した「大当り発生時の遊技状態」を読み出して、読み出した「大当り発生時の遊技状態」が開放延長状態か否か（開放延長時発生か非開放延長時発生か）を判断する（Ｓ５１４）。すなわち、今回終了した大当り遊技が、図２０に示す「２Ｒ高確（０回）」あるいは「２Ｒ高確（次回）」の何れの大当り遊技かを判断する。
【０１０５】
その結果、開放延長時発生の大当り遊技であれば（Ｓ５０６：ｙｅｓ）、今回終了した大当り遊技は「２Ｒ高確（次回）」であるので、遊技状態を開放延長状態にすべく変動短縮フラグおよび開放延長フラグをＯＮに設定する（Ｓ５１０）。そして、開放延長状態にて実行可能な遊技回数を１００００回に設定すべく変動短縮カウンタの値に「１００００」を設定する（Ｓ５１２）。続いて、新たに設定された遊技状態を示す遊技状態指定コマンドをサブ制御基板２２０に向けて送信した後（Ｓ５１６）、大当り終了時処理を終了して、図１９に示す大当り遊技処理に復帰する。
【０１０６】
Ｃ−５．ラウンド演出指定処理  ：
図２２は、本実施例のラウンド演出指定処理を示すフローチャートである。ラウンド演出指定処理は、図１９を用いて前述したように、ラウンド遊技を開始する際に行われる処理（図１９のＳ４１０）である。ラウンド演出指定処理を開始すると、主制御基板２００のＣＰＵ２０１は先ず、図１３のＳ３２４の処理で記憶した「大当り図柄の種類」、すなわち実行中の大当り遊技の開始契機となった「大当り図柄の種類」を取得する。続いて、取得した「大当り図柄の種類」が２Ｒ図柄であるか否かを判断する（Ｓ６０２）。その結果、２Ｒ図柄である場合は（Ｓ６０２：ｎｏ）、そのままラウンド演出指定処理を終了して、図１９に示す大当り遊技処理に復帰する。つまり、「２Ｒ」大当り遊技では、ラウンド遊技の時間が短いため（例えば０．１秒）、ラウンド遊技用の演出（ラウンド演出）は行わない。
【０１０７】
一方、「大当り図柄の種類」が１５Ｒ図柄である場合は（Ｓ６０２：ｙｅｓ）、昇格チャンス演出タイミングテーブルを参照して（Ｓ６０４）、今回のラウンド遊技で昇格チャンス演出を実行するか否かを判断する。
【０１０８】
ここで、本実施例のパチンコ機１では、「１５Ｒ」大当り遊技中の各ラウンド遊技において、ラウンド演出として「通常ラウンド演出」および「昇格チャンス演出」の何れかが実行される。「通常ラウンド演出」は、大当り遊技終了後の遊技状態が高確率状態に設定されるか否かを報知しない演出である。また、「昇格チャンス演出」は、該演出の前半部分において大当り遊技終了後の遊技状態が高確率状態に設定されていることを期待させる演出である。この「昇格チャンス演出」としては、大当り終了後の遊技状態が高確率状態であるか否かを報知しないまま終了する演出（昇格失敗演出）と、遊技状態が高確率状態であることを報知する演出（昇格成功演出）とが存在する。
【０１０９】
昇格チャンス演出タイミングテーブルは、「昇格チャンス演出」を実行するタイミング（ラウンド遊技）、すなわち、「昇格失敗演出」および「昇格成功演出」を実行するタイミング（ラウンド遊技）が設定されたテーブルである。尚、本実施例では、大当り遊技が開始してから１回目〜１５回目のラウンド遊技を「第１ラウンド遊技」〜「第１５ラウンド遊技」と称する。
【０１１０】
図２３は、本実施例の昇格チャンス演出タイミングテーブルを概念的に示す説明図である。昇格チャンス演出タイミングテーブルは、主制御基板２００のＲＯＭ２０２の所定アドレスに記憶されている。昇格チャンス演出タイミングテーブルでは、大当り遊技の開始契機となった大当り図柄の種類に対応付けて、昇格チャンス演出の実行パターンが記憶されている。また、「昇格成功演出」の実行タイミングは「昇格失敗演出」の実行タイミングよりも後に設定されている。さらに、一の実行パターンにおける「昇格成功演出」の実行タイミングは、他の実行パターンにおける「昇格失敗演出」の実行タイミングとして設定されている。
【０１１１】
図２３において、「第１」〜「第１５」は「第１ラウンド遊技」〜「第１５ラウンド遊技」を示している。また、「失」は「昇格失敗演出」の実行タイミングを示し、「成」は「昇格成功演出」の実行タイミングを示している。
【０１１２】
図２３に示すように、大当り遊技の開始契機となった大当り図柄の種類が大当り図柄「１」〜「３０」の場合は第３ラウンド遊技で「昇格成功演出」が実行されることが設定されている。また、大当り図柄「３１」〜「４０」の場合は第３ラウンド遊技で「昇格失敗演出」が実行され、第７ラウンド遊技で「昇格成功演出」が実行されることが設定されている。また、大当り図柄「４１」〜「６０」の場合は第３ラウンド遊技、第７ラウンド遊技で「昇格失敗演出」が実行され、第１１ラウンド遊技で「昇格成功演出」が実行されることが設定されている。
【０１１３】
また、大当り図柄「６１」〜「８０」の場合は第３ラウンド遊技、第７ラウンド遊技、第１１ラウンド遊技で「昇格失敗演出」が実行され、第１５ラウンド遊技で「昇格成功演出」が実行されることが設定されている。また、大当り図柄「８１」〜「１００」の場合は第３ラウンド遊技、第７ラウンド遊技、第１１ラウンド遊技、第１５ラウンド遊技で「昇格失敗演出」が実行されることが設定されている。すなわち、大当り図柄「８１」〜「１００」は低確図柄であり、該大当り図柄を契機とした大当り遊技の終了後は、遊技状態が低確率状態に設定されることから、「昇格成功演出」を実行しない実行パターンが設定されている。
【０１１４】
Ｓ６０４の処理では、このような昇格チャンス演出タイミングテーブルを参照して、Ｓ６００の処理で取得した「大当り図柄の種類」に基づき、今回のラウンド遊技が「昇格チャンス演出」（「昇格失敗演出」あるいは「昇格成功演出」）の実行タイミングか否かを判断する（Ｓ６０６）。その結果、「昇格チャンス演出」の実行タイミングでない場合は（Ｓ６０６：ｙｅｓ）、「通常ラウンド演出」を指定するコマンド（通常ラウンド演出指定コマンド）をサブ制御基板２２０に向けて送信した後（Ｓ６０８）、ラウンド演出指定処理を終了して、図１９に示す大当り遊技処理に復帰する。
【０１１５】
一方、今回の遊技が「昇格チャンス演出」の実行タイミングであれば（Ｓ６０６：ｙｅｓ）、それが「昇格成功演出」の実行タイミングか否かを判断する（Ｓ６１０）。その結果、「昇格成功演出」の実行タイミングでなければ（Ｓ６１０：ｎｏ）、すなわち、「昇格失敗演出」の実行タイミングであれば、昇格失敗演出を指定するコマンド（昇格失敗演出指定コマンド）をサブ制御基板２２０に向けて送信した後（Ｓ６１２）、ラウンド演出指定処理を終了して、図１９に示す大当り遊技処理に復帰する。これに対して、「昇格成功演出」の実行タイミングであれば（Ｓ６１０：ｙｅｓ）、昇格成功演出を指定するコマンド（昇格成功演出指定コマンド）をサブ制御基板２２０に向けて送信した後（Ｓ６１４）、ラウンド演出指定処理を終了して、図１９に示す大当り遊技処理に復帰する。
【０１１６】
以上のように、大当り図柄が停止表示されて大当り遊技が開始されると、該大当り図柄の種類に対応して設定されたタイミング（ラウンド遊技）で、「昇格失敗演出」および「昇格成功演出」を実行する。これにより、大当り遊技終了後の遊技状態が高確率状態に設定されることを遊技者に期待させて、遊技興趣を高めることが可能となる。
【０１１７】
尚、昇格チャンス演出タイミングテーブルには、昇格チャンス演出（報知演出）、すなわち、昇格失敗演出（不確定報知演出）および昇格成功演出（確定報知演出）の実行パターン（実行態様）が大当り図柄（当り図柄）の種類に応じて設定されている。従って、昇格チャンス演出タイミングテーブルを記憶する主制御基板２００のＲＯＭ２０２は、本発明における「実行態様記憶手段」に対応している。また、主制御基板２００のＣＰＵ２０１が上述した処理を実行することによって、大当り図柄（当り図柄）の種類を選択して、該大当り図柄に対応する昇格チャンス演出（報知演出）の実行パターン（実行態様）を設定する。従って、主制御基板２００のＣＰＵ２０１は、本発明における「当り図柄選択手段」および「実行態様設定手段」に対応している。また、主制御基板２００のＣＰＵ２０１が上述した処理を実行することによって、大当り遊技実行中に、実行パターンに基づき昇格チャンス演出（報知演出）の実行タイミング（実行時期）が到来したか否かを判定して、該実行タイミングが到来すると昇格成功用の変動パターンあるいは昇格失敗用の変動パターンを指定する（報知演出の実行を指示する）変動パターン指定コマンド（報知演出指示コマンド）を送信する。従って、主制御基板２００のＣＰＵ２０１は、本発明における「コマンド送信手段」に対応している。
【０１１８】
Ｄ．演出制御処理  ：
図２７は、サブ制御基板２２０のＣＰＵ２２１によって実行される演出制御処理を示すフローチャートである。尚、サブ制御基板２２０は、本発明の「演出制御手段」に対応している。図示されているように、演出制御処理では、図柄変動演出処理（Ｓ５０００）や大当り遊技演出処理（Ｓ６０００）など、遊技の進行に伴った演出を実現するための処理が行われる。ここで、図柄変動演出処理（Ｓ５０００）では図柄変動演出を実行するための処理が実行される。すなわち、主制御基板２００から送信された変動パターン指定コマンドに基づいて演出パターンを選択し、選択した演出パターンに基づいて演出表示装置２７の画面上で識別図柄２７ａ，２７ｂ，２７ｃを変動表示させた後、停止図柄指定コマンドに基づいて識別図柄２７ａ，２７ｂ，２７ｃを停止表示させる。また、大当り遊技演出処理（Ｓ６０００）では、大当り遊技に連動した演出を実行するための処理が実行される。
【０１１９】
サブ制御基板２２０のＣＰＵ２２１は、所定周期毎に発生するタイマ割り込みに基づき演出制御処理を行うように構成されており、本実施例では主制御基板のＣＰＵ２０１と同様に、４ｍｓｅｃ毎にタイマ割り込みが発生するものとなっている。つまり、図２４に示す演出制御処理は、ＣＰＵ２２１における４ｍｓｅｃ毎のタイマ割り込み処理として実行される。従って、図柄変動演出処理（Ｓ５０００）および大当り遊技演出処理（Ｓ６０００）は、４ｍｓｅｃ毎に実行されることになる。
【０１２０】
図２５は、本実施例の大当り遊技演出処理を示すフローチャートである。大当り遊技演出処理を開始すると、サブ制御基板２２０のＣＰＵ２２１は、主制御基板２００から大当り遊技開始コマンドを受信しているか否かを判断する（Ｓ６００２）。大当り遊技開始コマンドは、図１３を用いて前述したように、大当り遊技が開始される際に主制御基板２００からサブ制御基板２２０に向けて送信される。大当り遊技開始コマンドを受信した場合は（Ｓ６００２：ｙｅｓ）、大当り遊技演出を開始する（Ｓ６００４）。例えば、大当り遊技が開始されることを遊技者に報知する演出（いわゆるファンファーレ）が開始される。
【０１２１】
次に、主制御基板２００から通常ラウンド演出指定コマンドを受信しているか否かを判断する（Ｓ６００６）。通常ラウンド演出指定コマンドは、図２２を用いて前述したように、昇格チャンス演出の実行タイミングでないラウンド遊技が開始する際に主制御基板２００からサブ制御基板２２０に向けて送信される。通常ラウンド演出指定コマンドを受信した場合は（Ｓ６００６：ｙｅｓ）、通常ラウンド演出を開始する（Ｓ６００８）。通常ラウンド演出では、例えば、大当り遊技が開始されてから今回が何回目のラウンド遊技かを遊技者に報知する演出が開始される。
【０１２２】
次に、主制御基板２００から昇格失敗演出指定コマンドを受信しているか否かを判断する（Ｓ６０１０）。昇格失敗演出指定コマンドは、図２２を用いて前述したように、昇格失敗演出の実行タイミングのラウンド遊技が開始する際に主制御基板２００からサブ制御基板２２０に向けて送信される。昇格失敗演出指定コマンドを受信した場合は（Ｓ６０１０：ｙｅｓ）、昇格失敗演出を開始する（Ｓ６０１２）。昇格失敗演出としては、前半部分において大当り遊技終了後の遊技状態が高確率状態に設定されていることを期待させる演出が実行され、その後に、大当り終了後の遊技状態が高確率状態であるか否かを報知しないまま終了する演出が実行される。
【０１２３】
次に、主制御基板２００から昇格成功演出指定コマンドを受信しているか否かを判断する（Ｓ６０１４）。昇格成功演出指定コマンドは、図２２を用いて前述したように、昇格成功演出の実行タイミングのラウンド遊技が開始する際に主制御基板２００からサブ制御基板２２０に向けて送信される。昇格成功演出指定コマンドを受信した場合は（Ｓ６０１４：ｙｅｓ）、昇格成功演出を開始する（Ｓ６０１６）。昇格成功演出としては、前半部分において大当り遊技終了後の遊技状態が高確率状態に設定されていることを期待させる演出が実行され、その後に、大当り終了後の遊技状態が高確率状態であることを報知する演出が実行される。
【０１２４】
次に、主制御基板２００から大当り遊技終了コマンドを受信しているか否かを判断する（Ｓ６０１８）。大当り遊技終了コマンドは、図１９を用いて前述したように、大当り遊技が終了する際に主制御基板２００からサブ制御基板２２０に向けて送信される。大当り遊技終了コマンドを受信した場合は（Ｓ６０１８：ｙｅｓ）、大当り遊技演出を終了する（Ｓ６０２０）。
【０１２５】
Ｅ．本実施例のパチンコ機が奏する効果  ：
本実施例のパチンコ機１では、図２３に示すように、大当り図柄の種類に応じて予め定められた実行タイミング（ラウンド遊技）で、「昇格失敗演出」および「昇格成功演出」が実行される。従って、「昇格失敗演出」および「昇格成功演出」の実行タイミングを抽選で決定するための乱数発生装置や処理を設けなくとも、「昇格失敗演出」および「昇格成功演出」を様々な実行パターンで実行することが可能となる。
【０１２６】
また、何れの演出モードにおいても、「昇格成功演出」よりも後に「昇格失敗演出」が実行されることはない。すなわち、昇格チャンス演出タイミングテーブルに従って「昇格チャンス演出」を実行すれば、「昇格成功演出」が既に実行されたか否かの判断処理を設けなくても、「昇格成功演出」よりも後に「昇格失敗演出」が実行されることがなく、遊技者を戸惑わせることを防止することが可能となる。
【０１２７】
また、一の実行パターンにおける「昇格成功演出」の実行タイミングは、他の実行パターンにおける「昇格失敗演出」の実行タイミングとして設定されている。例えば、大当り図柄「１」〜「３０」に対応する実行パターンにおける実行タイミング（第３ラウンド遊技）は、他の大当り図柄に対応する実行パターンにおける「昇格失敗演出」の実行タイミングとして設定されている。従って、予め「昇格チャンス演出」の実行パターンが設定されているにも拘わらず、「昇格チャンス演出」の実行タイミングを起因として該「昇格チャンス演出」が「昇格成功演出」であることを遊技者に認識させることがない。これにより、「昇格チャンス演出」を実行開始した際の、該「昇格チャンス演出」が「昇格成功演出」であることへの遊技者の期待感を維持させることができ、遊技興趣を高めることが可能となる。
【０１２８】
尚、サブ制御基板２２０のＣＰＵ２２１が上述した処理を実行することによって、昇格成功用の変動パターンあるいは昇格失敗用の変動パターンを指定する変動パターン指定コマンド（報知演出指示コマンド）を受信して、大当り遊技中に、昇格チャンス演出（報知演出）を実行する。従って、サブ制御基板２２０のＣＰＵ２２１は、本発明における「コマンド受信手段」および「報知演出実行手段」に対応している。
【０１２９】
以上、本発明について実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１３０】
例えば、上述した実施例では、「昇格チャンス演出」として「昇格失敗演出」および「昇格成功演出」を実行する構成としたが、「昇格チャンス演出」として遊技状態が高確率状態に設定される確率を示唆する演出を実行する構成としてもよい。
【０１３１】
また、上述した実施例では、第１ラウンド遊技〜第１５ラウンド遊技のラウンド演出として「昇格チャンス演出」を実行する構成としたが、昇格チャンス演出の実行時期として、大当り遊技開始時（いわゆるファンファーレ演出）や、大当り遊技終了時（いわゆるエンディング演出）に、当り図柄に応じて「昇格チャンス演出」を実行する構成としてもよい。たとえば、当り図柄Ａの場合は、「前述した大当り遊技中」に加え、「大当り遊技開始時」と「大当り遊技終了時」にも昇格チャンス演出を実行し、大当り遊技終了時の昇格チャンス演出を昇格成功演出とする。また、当り図柄Ｂの場合は、「前述した大当り遊技中」に加え、「大当り遊技開始時」に昇格チャンス演出を実行し、大当り遊技中の最後の昇格チャンス演出を昇格成功演出とする。また、当り図柄Ｃの場合は、「前述した大当り遊技中」に加え、「大当り遊技終了時」に昇格チャンス演出を実行し、大当り遊技終了時の昇格チャンス演出を昇格成功演出とする。このような構成とすることで、ラウンド遊技の終了まで昇格成功演出に対する遊技者の期待感を持続させることができ、遊技興趣を高めることが可能となる。
【０１３２】
また、上述した実施例では、昇格成功演出が行われた後のラウンド遊技では通常ラウンド演出を行う構成とした。これに代えて、昇格チャンス演出の実行タイミングでなく、且つ、昇格成功演出が行われるまでのラウンド遊技では通常ラウンド演出を行って、昇格成功演出が行われた後のラウンド遊技では、「大当り遊技終了後の遊技状態が高確率状態に設定されることが確定済み」であることを報知する演出を実行してもよい。こうすると、遊技状態が高確率状態になるか否かが不確定であるか、遊技状態が高確率状態になることが確定したかを、遊技者に対して一層明確に報知することができ、遊技興趣を高めることが可能となる。
【産業上の利用可能性】
【０１３３】
本発明は、遊技ホールで用いられる弾球遊技機に利用することができる。
【符号の説明】
【０１３４】
１…パチンコ機、１７ａ…第１始動口、１７ｂ…第２始動口、２８…第１図柄表示装置（図柄表示装置）、３２…第２図柄表示装置（図柄表示装置）、３１ｄ…大入賞口、２００…主制御基板（遊技制御手段）、２０１…ＣＰＵ（当り図柄選択手段、実行態様設定手段、コマンド送信手段）、２０２…ＲＯＭ（当り図柄記憶手段、実行態様記憶手段）、２２０…サブ制御基板（演出制御手段）、２２１…ＣＰＵ（コマンド受信手段、報知演出実行手段）
【図１】
0005435012.tif 000002
【図２】
0005435012.tif 000003
【図３】
0005435012.tif 000004
【図４】
0005435012.tif 000005
【図５】
0005435012.tif 000006
【図６】
0005435012.tif 000007
【図７】
0005435012.tif 000008
【図８】
0005435012.tif 000009
【図９】
0005435012.tif 000010
【図１０】
0005435012.tif 000011
【図１１】
0005435012.tif 000012
【図１２】
0005435012.tif 000013
【図１３】
0005435012.tif 000014
【図１４】
0005435012.tif 000015
【図１５】
0005435012.tif 000016
【図１６】
0005435012.tif 000017
【図１７】
0005435012.tif 000018
【図１８】
0005435012.tif 000019
【図１９】
0005435012.tif 000020
【図２０】
0005435012.tif 000021
【図２１】
0005435012.tif 000022
【図２２】
0005435012.tif 000023
【図２３】
0005435012.tif 000024
【図２４】
0005435012.tif 000025
【図２５】
0005435012.tif 000026